(57)【要約】【課題】ユーザ登録を行うことなく、実店舗における商品またはサービスの購入者の購買履歴とユーザ端末のブラウザ情報との結び付けを行う技術を提供する。【解決手段】管理プログラムは、コンピュータに、商品またはサービスの購入者が使用する購入者端末がアクセス可能なネットワーク上の、商品またはサービスの価格を含むレシートデータが保存される保存先を特定する保存先識別情報を得るステップと、保存先にアクセスする購入者端末にアクセス実績を特定する端末来歴情報を設定するステップと、購入者端末に設定した端末来歴情報と購入者端末によってアクセスされた保存先を特定する保存先識別情報とを関連づけて記憶部に保持するステップと、を実行させる。【選択図】図５Ｃ
2019215927.tif 000002
【特許請求の範囲】
【請求項１】
コンピュータに、
商品またはサービスの購入者が使用する購入者端末がアクセス可能なＵＲＬ（Ｕｎｉｆｏｒｍ Ｒｅｓｏｕｒｃｅ Ｌｏｃａｔｏｒ）、リソースの名称であるＵＲＮ（Ｕｎｉｆｏｒｍ Ｒｅｓｏｕｒｃｅ Ｎａｍｅ）およびＵＲＩ（Ｕｎｉｆｏｒｍ Ｒｅｓｏｕｒｃｅ Ｉｄｅｎｔｉｆｉｅｒ：統一資源識別子）のいずれかの情報またはネットワーク上のドメイン、位置、および資源の何れかを示す情報であって、前記商品またはサービスの決済のときに前記購入者に発行されたレシートにおいて前記商品毎またはサービス毎の商品名、購入価格、購入数量を含むレシートデータとともに記録された、前記レシートデータが保存される保存先を特定する保存先識別情報を、前記レシートに記録された保存先識別情報を読み取り可能な前記購入者端末からの要求を契機に取得するステップと、
前記保存先識別情報で特定されるネットワーク上の保存先にアクセスする購入者端末にアクセス実績を特定する端末来歴情報を設定するステップと、
購入者端末に設定した端末来歴情報と前記購入者端末によってアクセスされたネットワーク上の保存先を特定する保存先識別情報とを関連づけて記憶部に保持するステップと、
を実行させる管理プログラム。
【請求項２】
購入者端末から保存先識別情報を指定したレシートデータへのアクセス要求を受信したときに、前記アクセス要求元の購入者端末に端末来歴情報が設定されているか否かによって前記購入者端末からの読み出し要求が初回の要求か否かを判定し、
初回の要求であると判定した場合に、前記読み出し要求元の購入者端末からのアクセス実績を特定するための端末来歴情報を前記読み出し要求元の購入者端末に保存し、前記読み出し要求元の購入者端末に保存した前記端末来歴情報と関連づけて読み出し要求に指定された前記保存先識別情報を前記記憶部に保持し、
初回の要求でないと判定した場合に、前記アクセス要求元の購入者端末に保存されている端末来歴情報に関連付けて前記記憶部に保持されているレシートデータ毎の前記レシートデータが保存された保存先を特定する保存先識別情報とともに、前記読み出し要求に指定された前記保存先識別情報を前記記憶部に保持する、管理ステップを、さらに実行させる請求項１に記載の管理プログラム。
【請求項３】
購入者端末から読み出した端末来歴情報を基にレシートデータを要求するサービス提供装置に前記レシートデータを提供するステップをさらに実行させる請求項１または２に記載の管理プログラム。
【請求項４】
店舗で利用される店舗端末から前記レシートデータと保存先識別情報を取得するステップをさらに実行させる請求項１から３の何れか一項に記載の管理プログラム。
【請求項５】
店舗で利用される店舗端末から前記レシートデータを取得する取得ステップと、
前記取得したレシートデータに対して保存先識別情報を生成するステップと、をさらに実行させる請求項１から３の何れか一項に記載の管理プログラム。
【請求項６】
店舗で利用される店舗端末から商品またはサービスの購入を示す購入情報を取得し、前記レシートデータを生成するステップと、
前記レシートデータを保存する保存先を特定する保存先識別情報を生成するステップと、をさらに実行させる請求項１から３の何れか一項に記載の管理プログラム。
【請求項７】
前記保存先識別情報で特定される保存先に前記レシートデータを保存するステップをさらに実行させる請求項２から６の何れか一項に記載の管理プログラム。
【請求項８】
前記保存先識別情報を前記店舗端末に送信するステップをさらに実行させる請求項５に記載の管理プログラム。
【請求項９】
前記レシートデータと前記保存先識別情報とを前記店舗端末に送信するステップをさらに実行させる請求項６に記載の管理プログラム。
【請求項１０】
コンピュータが、
商品またはサービスの購入者が使用する購入者端末がアクセス可能なＵＲＬ（Ｕｎｉｆｏｒｍ Ｒｅｓｏｕｒｃｅ Ｌｏｃａｔｏｒ）、リソースの名称であるＵＲＮ（Ｕｎｉｆｏｒｍ Ｒｅｓｏｕｒｃｅ Ｎａｍｅ）およびＵＲＩ（Ｕｎｉｆｏｒｍ Ｒｅｓｏｕｒｃｅ Ｉｄｅｎｔｉｆｉｅｒ：統一資源識別子）のいずれかの情報またはネットワーク上のドメイン、位置、および資源の何れかを示す情報であって、前記商品またはサービスの決済のときに前記購入者に発行されたレシートにおいて前記商品毎またはサービス毎の商品名、購入価格、購入数量を含むレシートデータとともに記録された、前記レシートデータが保存される保存先を特定する保存先識別情報を、前記レシートに記録された保存先識別情報を読み取り可能な前記購入者端末からの要求を契機に取得するステップと、
前記保存先識別情報で特定されるネットワーク上の保存先にアクセスする購入者端末にアクセス実績を特定する端末来歴情報を設定するステップと、
購入者端末に設定した端末来歴情報と前記購入者端末によってアクセスされたネットワーク上の保存先を特定する保存先識別情報とを関連づけて記憶部に保持するステップと、
を実行する管理方法。
【請求項１１】
商品またはサービスの購入者が使用する購入者端末がアクセス可能なＵＲＬ（Ｕｎｉｆｏｒｍ Ｒｅｓｏｕｒｃｅ Ｌｏｃａｔｏｒ）、リソースの名称であるＵＲＮ（Ｕｎｉｆｏｒｍ Ｒｅｓｏｕｒｃｅ Ｎａｍｅ）およびＵＲＩ（Ｕｎｉｆｏｒｍ Ｒｅｓｏｕｒｃｅ Ｉｄｅｎｔｉｆｉｅｒ：統一資源識別子）のいずれかの情報またはネットワーク上のドメイン、位置、および資源の何れかを示す情報であって、前記商品またはサービスの決済のときに前記購入者に発行されたレシートにおいて前記商品毎またはサービス毎の商品名、購入価格、購入数量を含むレシートデータとともに記録された、前記レシートデータが保存される保存先を特定する保存先識別情報を、前記レシートに記録された保存先識別情報を読み取り可能な前記購入者端末からの要求を契機に取得する手段と、
前記保存先識別情報で特定されるネットワーク上の保存先にアクセスする購入者端末にアクセス実績を特定する端末来歴情報を設定する手段と、
購入者端末に設定した端末来歴情報と前記購入者端末によってアクセスされたネットワーク上の保存先を特定する保存先識別情報とを関連づけて記憶部に保持する手段と、
を備えるレシート管理装置。
【請求項１２】
商品またはサービスの購入者が使用する購入者端末がアクセス可能なＵＲＬ（Ｕｎｉｆｏｒｍ Ｒｅｓｏｕｒｃｅ Ｌｏｃａｔｏｒ）、リソースの名称であるＵＲＮ（Ｕｎｉｆｏｒｍ Ｒｅｓｏｕｒｃｅ Ｎａｍｅ）およびＵＲＩ（Ｕｎｉｆｏｒｍ Ｒｅｓｏｕｒｃｅ Ｉｄｅｎｔｉｆｉｅｒ：統一資源識別子）のいずれかの情報またはネットワーク上のドメイン、位置、および資源の何れかを示す情報であって、前記商品またはサービスの決済のときに前記購入者に発行されたレシートにおいて前記商品毎またはサービス毎の商品名、購入価格、購入数量を含むレシートデータとともに記録された、前記レシートデータが保存される保存先を特定する保存先識別情報を、前記レシートに記録された保存先識別情報を読み取り可能な前記購入者端末からの要求を契機に取得する手段と、
前記保存先にアクセスする購入者端末にアクセス実績を特定する端末来歴情報を設定する手段と、
購入者端末に設定した端末来歴情報と前記購入者端末によってアクセスされた保存先を特定する保存先識別情報とを関連づけて保持する保持手段と、
を備えるレシート管理装置と、
購入者端末から端末来歴情報を読み出し、前記端末来歴情報を基にレシートデータを取得し、前記レシートデータを処理するサービスを提供するサービス提供装置と、
を備える情報処理システム。
【請求項１３】
端末からのアクセスを受け付けたときに、前記端末に所定の端末来歴情報が格納されているときに、前記所定の端末来歴情報を取得する手段と、
前記端末来歴情報に関連付けされた、商品またはサービスの決済のときに購入者に発行されたレシートにおいて前記商品毎またはサービス毎の商品名、購入価格、購入数量を含むレシートデータとともに記録されたＵＲＬ（Ｕｎｉｆｏｒｍ Ｒｅｓｏｕｒｃｅ Ｌｏｃａｔｏｒ）、リソースの名称であるＵＲＮ（Ｕｎｉｆｏｒｍ Ｒｅｓｏｕｒｃｅ Ｎａｍｅ）およびＵＲＩ（Ｕｎｉｆｏｒｍ Ｒｅｓｏｕｒｃｅ Ｉｄｅｎｔｉｆｉｅｒ：統一資源識別子）のいずれかの情報またはネットワーク上のドメイン、位置、および資源の何れかを示す情報であって、前記購入者が使用する購入者端末を通じて前記レシートから読み取られた前記商品毎またはサービス毎の商品名、購入価格、購入数量を含むレシートデータが保存される保存先を特定する保存先識別情報に基づいて、前記レシートデータを格納するサーバから前記レシートデータを取得する手段と、
を備えるサービス提供装置。
【請求項１４】
コンピュータが、
端末からのアクセスを受け付けたときに、前記端末に所定の端末来歴情報が格納されているときに、前記所定の端末来歴情報を取得するステップと、
前記端末来歴情報に関連付けされた、商品またはサービスの決済のときに購入者に発行されたレシートにおいて前記商品毎またはサービス毎の商品名、購入価格、購入数量を含むレシートデータとともに記録されたＵＲＬ（Ｕｎｉｆｏｒｍ Ｒｅｓｏｕｒｃｅ Ｌｏｃａｔｏｒ）、リソースの名称であるＵＲＮ（Ｕｎｉｆｏｒｍ Ｒｅｓｏｕｒｃｅ Ｎａｍｅ）およびＵＲＩ（Ｕｎｉｆｏｒｍ Ｒｅｓｏｕｒｃｅ Ｉｄｅｎｔｉｆｉｅｒ：統一資源識別子）のいずれかの情報またはネットワーク上のドメイン、位置、および資源の何れかを示す情報であって、前記購入者が使用する購入者端末を通じて前記レシートから読み取られた前記商品毎またはサービス毎の商品名、購入価格、購入数量を含むレシートデータが保存される保存先を特定する保存先識別情報に基づいて、前記レシートデータを格納するサーバから前記レシートデータを取得するステップと、
を実行するサービス提供方法。
【請求項１５】
コンピュータに、
端末からのアクセスを受け付けたときに、前記端末に所定の端末来歴情報が格納されているときに、前記所定の端末来歴情報を取得するステップと、
前記端末来歴情報に関連付けされた、商品またはサービスの決済のときに購入者に発行されたレシートにおいて前記商品毎またはサービス毎の商品名、購入価格、購入数量を含むレシートデータとともに記録されたＵＲＬ（Ｕｎｉｆｏｒｍ Ｒｅｓｏｕｒｃｅ Ｌｏｃａｔｏｒ）、リソースの名称であるＵＲＮ（Ｕｎｉｆｏｒｍ Ｒｅｓｏｕｒｃｅ Ｎａｍｅ）およびＵＲＩ（Ｕｎｉｆｏｒｍ Ｒｅｓｏｕｒｃｅ Ｉｄｅｎｔｉｆｉｅｒ：統一資源識別子）のいずれかの情報またはネットワーク上のドメイン、位置、および資源の何れかを示す情報であって、前記購入者が使用する購入者端末を通じて前記レシートから読み取られた前記商品毎またはサービス毎の価格を含むレシートデータが保存される保存先を特定する保存先識別情報に基づいて、前記レシートデータを格納するサーバから前記レシートデータを取得するステップと、
を実行させるサービス提供プログラム。
【請求項１６】
購入者端末から保存先識別情報を指定したレシートデータへのアクセス要求を受信した
ときに、前記アクセス要求元の購入者端末に端末来歴情報が設定されているか否かによって前記購入者端末からの読み出し要求が初回の要求か否かを判定し、
初回の要求であると判定した場合に、前記読み出し要求元の購入者端末からのアクセス実績を特定するための端末来歴情報を前記読み出し要求元の購入者端末に保存し、前記読み出し要求元の購入者端末に保存した前記端末来歴情報と関連づけて読み出し要求に指定された前記保存先識別情報を前記記憶部に保持し、
初回の要求でないと判定した場合に、前記アクセス要求元の購入者端末に保存されている端末来歴情報に関連付けて前記記憶部に保持されているレシートデータ毎の前記レシートデータが保存された保存先を特定する保存先識別情報とともに、前記読み出し要求に指定された前記保存先識別情報を前記記憶部に保持する、管理ステップを、さらに実行する請求項１０に記載の管理方法。
【請求項１７】
購入者端末から保存先識別情報を指定したレシートデータへのアクセス要求を受信したときに、前記アクセス要求元の購入者端末に端末来歴情報が設定されているか否かによって前記購入者端末からの読み出し要求が初回の要求か否かを判定し、
初回の要求であると判定した場合に、前記読み出し要求元の購入者端末からのアクセス実績を特定するための端末来歴情報を前記読み出し要求元の購入者端末に保存し、前記読み出し要求元の購入者端末に保存した前記端末来歴情報と関連づけて読み出し要求に指定された前記保存先識別情報を前記記憶部に保持し、
初回の要求でないと判定した場合に、前記アクセス要求元の購入者端末に保存されている端末来歴情報に関連付けて前記記憶部に保持されているレシートデータ毎の前記レシートデータが保存された保存先を特定する保存先識別情報とともに、前記読み出し要求に指定された前記保存先識別情報を前記記憶部に保持する、管理手段を、さらに備える請求項１１に記載のレシート管理装置。
【請求項１８】
前記レシート管理装置は、
購入者端末から保存先識別情報を指定したレシートデータへのアクセス要求を受信したときに、前記アクセス要求元の購入者端末に端末来歴情報が設定されているか否かによって前記購入者端末からの読み出し要求が初回の要求か否かを判定し、
初回の要求であると判定した場合に、前記読み出し要求元の購入者端末からのアクセス実績を特定するための端末来歴情報を前記読み出し要求元の購入者端末に保存し、前記読み出し要求元の購入者端末に保存した前記端末来歴情報と関連づけて読み出し要求に指定された前記保存先識別情報を前記記憶部に保持し、
初回の要求でないと判定した場合に、前記アクセス要求元の購入者端末に保存されている端末来歴情報に関連付けて前記記憶部に保持されているレシートデータ毎の前記レシートデータが保存された保存先を特定する保存先識別情報とともに、前記読み出し要求に指定された前記保存先識別情報を前記記憶部に保持する、管理手段を、さらに備える請求項１２に記載の情報処理システム。
【発明の詳細な説明】
【技術分野】
【０００１】
本発明は、管理プログラム、管理方法、レシート管理装置、情報処理システム及びサービス提供装置に関する。
【背景技術】
【０００２】
従来、店舗等で販売する商品またはサービスを購入した購入者には、購入代金の受取人が、購入に係る商品またはサービスへの対価として所定の金銭を受け取ったことを証明するための領収書（receipt、以下、レシートと称す）が発行される。レシートの発行は、
例えば、商品またはサービスを販売する店舗等に設置されたＥＣＲ（Electronic Cash Register）やＰＯＳ（Point Of Sales）端末等により行われる。ＰＯＳ端末等により発行されたレシートには、例えば、購入に係る商品またはサービス等の名称、数量、価格等のレシート情報が印刷される。ＰＯＳ端末等により発行されたレシートは、商品またはサービスを購入した購入者に手渡される。
【０００３】
一方、予め事前に登録された購入者に対し、ＰＯＳ端末等で発行されたレシートのレシート情報を電子データとして購入者のＵＳＢ（Universal Serial Bus）に記録し、該ＵＳＢに記録されたレシート情報に基づいてレシートイメージを提供するシステムが提案されている。また、同様に、予め事前に登録された購入者に対し、電子データ化されたレシート情報を、購入者の携帯端末等に受け渡す電子レシートといった仕組みが提案されている。
【０００４】
また、商品等を販売する店舗等では、所定の申込用紙等に記入された購入者の個人情報を登録し、会員カード、ポイントカード等を発行・管理することが知られている。そして、購入した商品等に対する購入代金の精算の際に、上述した会員カード、ポイントカード等を提示させ、購入者に対するポイント付与等を行うサービスが知られている。また、登録された購入者の住所や性別、年齢等の属性と購入者によって購入された商品等との結合を図り、データベース（Data Base、以下、ＤＢと称す）等に蓄積し、購入者に対する広
告情報等を提供するサービスが知られている。
【０００５】
なお、本明細書で説明する技術に関連する技術が記載されている先行技術文献としては、以下の特許文献が存在している。
【先行技術文献】
【特許文献】
【０００６】
【特許文献１】特開２０１０−１５７０５７号公報
【特許文献２】特開２０１４−１８６７２５号公報
【特許文献３】特開２００４−１２６６８６号公報
【特許文献４】特開２００４−４６５４０号公報
【発明の概要】
【発明が解決しようとする課題】
【０００７】
上述のように、商品またはサービスの購入の際に提供される各種サービスでは、購入者の住所や氏名等の個人情報の事前登録に基づいて行われる。従って、ユーザ登録を行っている購入者は電子レシートを受け取ることができる。しかしながら、ユーザ登録や会員登録をわずらわしいと感じる購入者も存在する。また、登録した個人情報についての漏えいや悪用を恐れ、会員登録を避ける場合もある。このため、会員登録を行わない購入者には
、例えば、上述した電子化されたレシート情報の提供や、購入代金に基づくポイントの付与、広告情報等の提供等のサービスを提供することが困難な場合があった。
【０００８】
開示の技術の課題は、ユーザ登録を行うことなく、実店舗における商品またはサービスの購入者の購買履歴とユーザ端末のブラウザ情報との結び付けを行う技術を提供することにある。
【課題を解決するための手段】
【０００９】
開示の技術の一側面は、次の管理プログラムの構成によって例示される。すなわち、管理プログラムは、コンピュータに、商品またはサービスの購入者が使用する購入者端末がアクセス可能なネットワーク上の、商品またはサービスの価格を含むレシートデータが保存される保存先を特定する保存先識別情報を得るステップと、保存先にアクセスする購入者端末にアクセス実績を特定する端末来歴情報を設定するステップと、購入者端末に設定した端末来歴情報と購入者端末によってアクセスされた保存先を特定する保存先識別情報とを関連づけて記憶部に保持するステップと、を実行させる。
【００１０】
このような構成によれば、管理プログラムを実行するコンピュータは、商品またはサービスの購入者が使用する購入者端末がアクセス可能なネットワーク上の、商品またはサービスの価格を含むレシートデータが保存される保存先を特定する保存先識別情報を得ることができる。そして、コンピュータは、保存先識別情報によって特定される保存先にアクセスする購入者端末にアクセス実績を特定する端末来歴情報を設定することができる。レシート管理装置は、購入者端末に設定した端末来歴情報と購入者端末によってアクセスされた保存先を特定する保存先識別情報とを関連づけて記憶部に保持することができる。
【発明の効果】
【００１１】
本願に開示の技術によれば、ユーザ登録を行うことなく、実店舗における商品またはサービスの購入者の購買履歴とユーザ端末のブラウザ情報との結び付けを行う技術を提供できる。
【図面の簡単な説明】
【００１２】
【図１】実施例１のレシート管理システムの一例を示す図である。
【図２】情報処理装置のハードウェア構成を例示する図である。
【図３Ａ】レシート作成処理を説明する説明図である。
【図３Ｂ】レシート管理処理を説明する説明図である。
【図４Ａ】レシート管理ＤＢの例である。
【図４Ｂ】端末来歴情報管理ＤＢの例である。
【図５Ａ】レシート作成処理を例示するフローチャートである。
【図５Ｂ】レシート管理処理を例示するフローチャートである。
【図５Ｃ】レシート管理処理を例示するフローチャートである。
【図６】実施例２のレシート管理システムを説明する図である。
【図７】管理情報の取得処理を例示するフローチャートである。
【発明を実施するための形態】
【００１３】
以下、図面を参照して、本発明を実施するための形態について説明する。以下の実施するための形態の構成は例示であり、本発明は実施の形態の構成に限定されない。
以下、図１から図７の図面に基づいて、一実施の形態に係るレシート管理システムを説明する。
【００１４】
＜実施例１＞
〔システム構成〕
図１に、本実施形態のレシート管理システム１の構成図を例示する。図１に例示のレシート管理システム１は、例えば、レシート管理装置１０、保存サーバ１１、レシート作成装置１２、購入者端末１３を含む。レシート管理システム１に含まれる、レシート管理装置１０、保存サーバ１１、レシート作成装置１２、購入者端末１３は、例えば、インターネット等の公衆ネットワークであるネットワークＮを介して接続される。ネットワークＮには、例えば、携帯電話網等の無線ネットワーク、ＬＡＮ（Local Area Network）等が含まれる。なお、ネットワークＮには、例えば、複数の保存サーバ１１、レシート作成装置１２、購入者端末１３が接続され得る。
【００１５】
図１に例示のレシート管理システム１において、レシート作成装置１２は、例えば、商品またはサービスを販売する店舗、企業等に設置されたＥＣＲ（Electronic Cash Register）やＰＯＳ（Point Of Sales）端末等の情報処理装置である。レシート作成装置１２は、例えば、ネットワークＮに接続するための通信機能を有する。レシート作成装置１２には、例えば、ＰＣ（ＰＣ：Personal Computer）、タブレットＰＣ、ＰＤＡ（Personal Data Assistance）といった情報処理装置が含まれる。
【００１６】
レシート作成装置１２は、例えば、店舗等で販売する商品またはサービスを購入した購入者に対し、領収書（receipt、以下、レシートと称す）を発行する。レシートは、例え
ば、購入代金の受取人である店舗等が、購入に係る商品またはサービスへの対価として所定の金銭を購入者から受け取ったことを証明する証明書である。レシート作成装置１２により発行されたレシートには、例えば、購入に係る商品等の名称、数量、価格等のレシート情報が印刷される。なお、レシート情報には、レシートの発行した日付、店舗等の識別情報、発行されたレシート識別情報（レシート番号）等が含まれる。レシート作成装置１２により発行されたレシートは、例えば、商品またはサービスを購入した購入者に手渡される。
【００１７】
レシート管理装置１０、保存サーバ１１、購入者端末１３は、例えば、ネットワークＮに接続するための通信機能を有するＰＣ、サーバ等の情報処理装置である。購入者端末１３は、例えば、ネットワークＮに接続されたレシート管理装置１０、保存サーバ１１等の各種サイトが提供するコンテンツを閲覧するためのブラウザ機能を有する。なお、購入者端末１３には、例えば、スマートフォン、タブレットＰＣ、ＰＤＡ等の可搬可能な情報処理装置を含むとしてもよい。また、レシート管理装置１０、保存サーバ１１は、例えば、ネットワークＮ上のコンピュータ群であるクラウドの一部を構成するものであってもよい。
【００１８】
保存サーバ１１は、例えば、レシート作成装置１２を介して発行されたレシートデータを保存する機能を有する。レシート管理装置１０は、レシート作成装置１２を介して発行されたレシートデータを管理する機能を有する。レシート作成装置１２で発行されたレシートデータは、例えば、レシート管理装置１０の管理の下、レシートデータ毎に保存サーバ１１に保存される。例えば、保存サーバ１１は、レシート管理装置１０の管理の基、レシートデータを保存する。
【００１９】
本実施形態のレシート管理システム１では、例えば、レシート作成装置１２は、レシートを作成するためのレシート情報の入力を契機として、購入者によって購入された商品またはサービスの価格を含むレシートデータの保存先を指定する。レシートデータの保存先は、例えば、図１に例示の保存サーバ１１である。レシート作成装置１２は、例えば、レシート情報の入力を契機として、保存サーバ１１のネットワークＮ上のアドレスを、レシートデータの保存先の保存先識別情報として指定する。ネットワークＮ上のアドレスとして、例えば、ＵＲＬ（Uniform Resource Locator）が例示できる。
【００２０】
レシート作成装置１２は、例えば、発行されるレシート毎に、該レシートのレシートデータを保存する保存先の保存先識別情報を指定する。例えば、レシートデータの保存先である保存サーバ１１には、保存先識別情報に対応付けられたレシートデータの保存領域がレシートデータ毎に設けられる。保存先識別情報に対応付けられたレシートデータの保存領域は、例えば、購入者端末１３等のブラウザ機能を介し、保存されたレシートデータ毎の管理ページとして該購入者端末１３等に表示される。
【００２１】
そして、レシート作成装置１２は、例えば、保存先識別情報で特定されるネットワーク上の保存先に、レシート情報に基づいて生成されたレシートデータを保存すると共に、該レシートデータと保存先識別情報とが含まれるレシートを購入者に発行する。レシート作成装置１２は、例えば、購入者が購入した商品等に係る価格等を含むレシートデータに、保存先識別情報を付加し、保存先情報が付加されたレシートデータをプリンタ等に出力する。保存先情報と共に出力されたレシートデータは、例えば、店舗等が販売する商品またはサービスへの対価として所定の金銭を受け取ったことを証明するための領収書として購入者に手渡される。
【００２２】
レシート作成装置１２から出力されたレシートに付加された、レシートデータの保存先識別情報に基づいて、購入者は、例えば、購入者端末１３を介し、ネットワークＮ上の保存先である保存サーバ１１を管理するレシート管理装置１０にアクセス要求を発生させる。このため、保存サーバ１１に対する購入者端末１３からのアクセス要求は、レシート管理装置１０により管理される。
【００２３】
レシート管理装置１０は、例えば、管理下にある保存サーバ１１に保存されたレシートデータに対するアクセス要求が発生すると、購入者端末１３のブラウザ機能によるアクセス実績を識別・特定するための端末来歴情報を発行する。ここで、端末来歴情報として、例えば、“Cookie（以下、“クッキー”とも称す）”が例示できる。
【００２４】
レシート管理装置１０は、例えば、保存サーバ１１に保存されたレシートデータに対するアクセス要求に応じて発行された端末来歴情報を購入者端末１３に送信する。保存サーバ１１に保存されたレシートデータに対するアクセス要求を発生させた購入者端末１３に送信された端末来歴情報は、例えば、購入者端末１３のブラウザ機能を介して受信される。購入者端末１３のブラウザ機能により受信された、レシート管理装置１０から発行された端末来歴情報は、購入者端末１３に保存される。
【００２５】
レシート管理装置１０は、例えば、購入者端末１３に送信した端末来歴情報と、該購入者端末１３からアクセス要求があった保存先識別情報とを対応付けて保持する。レシート管理装置１０は、例えば、レシート管理装置１０が管理するデータベース（Data Base、
以下“ＤＢ”とも称す）に、購入者端末１３からアクセス要求があった保存先識別情報と該アクセス要求に応じて発行された端末来歴情報とを対応付けて記録する。
【００２６】
例えば、購入者端末１３がＨＴＴＰ（Hypertext Transfer Protocol）のリクエストで
レシートデータに対するアクセス要求を行う場合には、購入者端末に保存された端末来歴情報がＨＴＴＰのリクエストに含まれている。従って、レシート管理装置１０が端末来歴情報としてクッキーを用いる場合には、レシートデータに対するアクセス要求であるＨＴＴＰのリクエストから、端末来歴情報を取得できる。但し、レシート管理装置１０が購入者端末１３から端末来歴情報を取得する仕組みは、ＨＴＴＰにおけるクッキーに限定されることはなく、様々な手法を取ることができる。
【００２７】
また、レシート管理装置１０は、例えば、購入者端末１３のブラウザ機能を介して発行されたアクセス要求に、既に発行した端末来歴情報が含まれている場合には、アクセス要
求のあった保存先識別情報を取得する。そして、レシート管理装置１０は、アクセス要求に含まれる端末来歴情報とアクセス要求先である保存先識別情報とを対応付けて、レシート管理装置１０が管理するＤＢに記録する。レシート管理装置１０が管理するＤＢには、例えば、既に発行された端末来歴情報に対応付けて記録された保存先識別情報が格納されている。レシート管理装置１０は、例えば、既に発行された端末来歴情報を含むアクセス要求から取得した保存先識別情報を、既に記録された保存先識別情報に追加し、ＤＢに記録する。
【００２８】
このように、レシート管理装置１０は、例えば、ＤＢに記録された端末来歴情報、保存先識別情報に基づいて、保存先識別情報により特定される保存先に保存されたレシートデータを管理することができる。
【００２９】
なお、レシート管理装置１０は、例えば、端末来歴情報と保存先識別情報とをＤＢに記録後、レシート管理装置１０の管理下にある、アクセス要求があった保存サーバ１１の保存先識別情報で指定される保存先に遷移する。保存先識別情報で指定される保存先には、レシート作成装置１２により発行されたレシートのレシートデータが、例えば、ＨＴＭＬ（HyperText Markup Language）で記述されたデータとして保存されている。ＨＴＭＬで
記述されたレシートのデータは、例えば、購入者端末１３のブラウザ機能を介して取得され、該購入者端末１３の表示画面上に表示される。
【００３０】
ここで、レシートデータの形式は、例えば、レシート作成装置１２で発行されたレシートのイメージ画像であってもよく、該レシートに出力された購入商品等に係る各種情報（例えば、日付、購入商品名、購入数量、商品毎の販売価格、支払金額等）のテキストデータでもよい。また、レシートデータの形式は、例えば、購入者端末１３に搭載される表計算ソフト等で利用可能な形式であってもよい。
【００３１】
この結果、本実施形態のレシート管理システム１では、レシート管理装置１０は、端末来歴情報に基づくレシートデータの保存先識別情報の管理を行うことが可能となる。本実施形態のレシート管理装置１０では、例えば、個人情報を用いたユーザ登録を行わない購入者であっても、レシートデータの閲覧を行うために発生したアクセス要求を契機として発行された端末来歴情報に基づくレシートデータの保存先識別情報の管理を行うことができる。本実施形態のレシート管理システム１では、ユーザ登録を行うことなく、実店舗における商品またはサービスの購入者の購買履歴とユーザ端末のブラウザ情報との結び付けを行う技術が提供できる。商品またはサービスの購入者は、例えば、レシート毎の購買履歴情報を、その度毎に入力せずとも、購買履歴の管理を行うことができる。
【００３２】
〔装置構成〕
図２に、情報処理装置９０のハードウェア構成を例示する。図２に例示の情報処理装置９０は、いわゆる一般的なコンピュータの構成を有している。図１に例示のレシートデータ管理システム１に含まれる、レシート作成装置１２、レシート管理装置１０、保存サーバ１１、購入者端末１３のそれぞれは、例えば、図２に例示の情報処理装置９０の構成により実現される。但し、例えば、レシート管理装置１０と保存サーバ１１とが一体で図２に例示の情報処理装置９０の構成により実現されてもよい。
【００３３】
情報処理装置９０は、接続バスＢ１によって相互に接続されたＣＰＵ（Central Processing Unit）９１、主記憶部９２、補助記憶部９３、入力部９４、出力部９５、通信部９
６を有する。主記憶部９２及び補助記憶部９３は、情報処理装置９０が読み取り可能な記録媒体である。
【００３４】
情報処理装置９０は、ＣＰＵ９１が補助記憶部９３に記憶されたプログラムを主記憶部
９２の作業領域に実行可能に展開し、プログラムの実行を通じて周辺機器の制御を行う。これにより、情報処理装置９０は、所定の目的に合致した機能を実現することができる。
【００３５】
図２に例示の情報処理装置９０において、ＣＰＵ９１は、情報処理装置９０全体の制御を行う中央処理演算装置である。ＣＰＵ９１は、補助記憶部９３に格納されたプログラムに従って処理を行う。主記憶部９２は、ＣＰＵ９１がプログラムやデータをキャッシュしたり、作業領域を展開したりする記憶媒体である。主記憶部９２は、例えば、ＲＡＭ（Random Access Memory）やＲＯＭ（Read Only Memory）を含む。
【００３６】
補助記憶部９３は、各種のプログラム及び各種のデータを読み書き自在に記録媒体に格納する。補助記憶部９３は、外部記憶装置とも称される。補助記憶部９３には、オペレーティングシステム（Operating System :ＯＳ）、各種プログラム、各種テーブル等が格納される。ＯＳは、通信部９６を介して接続される外部装置等とのデータの受け渡しを行う通信インターフェースプログラムを含む。外部装置等には、例えば、接続されたネットワークＮ上の、他のサーバ等の情報処理装置、外部記憶装置、通信機能を有する装置等が含まれる。
【００３７】
補助記憶部９３は、例えば、ＥＰＲＯＭ（Erasable Programmable ROM）、ソリッドス
テートドライブ装置、ハードディスクドライブ（ＨＤＤ、Hard Disk Drive）装置等であ
る。また、補助記憶部９３としては、例えば、ＣＤドライブ装置、ＤＶＤドライブ装置、ＢＤ（Blu-ray（登録商標） Disc）ドライブ装置等が提示できる。記録媒体としては、例えば、不揮発性半導体メモリ（フラッシュメモリ）を含むシリコンディスク、ハードディスク、ＣＤ、ＤＶＤ、ＢＤ、ＵＳＢ（Universal Serial Bus）メモリ、メモリカード等がある。
【００３８】
入力部９４は、ユーザ等からの操作指示等を受け付ける。入力部９４は、入力ボタン、キーボード、タッチパネル等のポインティングデバイス、ワイヤレスリモコン、マイクロフォン、カメラ等の入力デバイスである。入力部９４から入力された情報は、接続バスＢ１を介してＣＰＵ９１に通知される。
【００３９】
なお、レシート作成装置１２として機能する情報処理装置９０には、入力部９４として、商品に貼付されたバーコードを読み取るためのバーコードリーダが含まれるとしてもよい。また、情報処理装置９０は、ＮＦＣ（Near field communication）等を用いた非接触ＩＣリーダ／ライタを備えるとしてもよい。
【００４０】
出力部９５は、ＣＰＵ９１で処理されるデータや主記憶部９２に記憶されるデータを出力する。出力部９５は、ＣＲＴ（Cathode Ray Tube）ディスプレイ、ＬＣＤ（Liquid Crystal Display）、ＰＤＰ（Plasma Display Panel）、ＥＬ（Electroluminescence）パネ
ル、有機ＥＬパネル、プリンタ、スピーカ等の出力デバイスである。通信部９６は、例えば、ネットワークＮ等とのインターフェースである。
【００４１】
レシート管理装置１０は、例えば、ＣＰＵ９１が補助記憶部９３に記憶されているＯＳ、各種プログラムや各種データを主記憶部９２に読み出して実行することにより、対象プログラムの実行と共に、図１に例示の各処理手段を実現する。レシート管理装置１０は、対象プログラムの実行により、図１に例示のレシート情報管理部１０１、レシートデータアクセス管理部１０２、端末来歴情報管理部１０３、レシートデータ出力部１０４、を実現する。
【００４２】
また、レシート管理装置１０は、以上の各処理手段が参照し、或いは、管理するデータの格納先として、例えば、レシート管理ＤＢ２０１、端末来歴情報管理ＤＢ２０２、広告
情報ＤＢ２０３を補助記憶部９３に備える。
【００４３】
なお、レシート管理装置１０の各処理手段のうち、いずれかが、他の情報処理装置等に含まれてもよい。例えば、レシート情報管理部１０１を含む情報処理装置と、レシートデータアクセス管理部１０２を含む情報処理装置と、端末来歴情報管理部１０３を含む情報処理装置とがネットワークＮ等を介して接続する。そして、ネットワークＮに、レシートデータ出力部１０４を含む情報処理装置と、外部記憶装置に格納されたレシート管理ＤＢ２０１、端末来歴情報管理ＤＢ２０２、広告情報ＤＢ２０３とが接続し、レシート管理装置１０として機能するとしてもよい。レシート管理装置１０は、例えば、ネットワークＮ上のコンピュータ群であるクラウドとして実現できるため、各処理手段の処理負荷を軽減できる。
【００４４】
レシート作成装置１２は、例えば、ＣＰＵ９１が補助記憶部９３に記憶されているＯＳ、各種プログラムや各種データを主記憶部９２に読み出して実行することにより、対象プログラムの実行により、図１に例示の各処理手段を実現する。レシート作成装置１２は、対象プログラムの実行により、図１に例示のレシート情報取得部１１１、保存先識別情報生成部１１２、レシートデータ生成部１１３、出力制御部１１４、を実現する。
【００４５】
但し、レシート作成装置１２は、ＯＳを搭載しないで、制御シーケンスや処理演算を実行する制御プログラム、ファームウェア等で、図１に例示の各処理手段を提供するとしてもよい。なお、レシート作成装置１２は、以上の各処理手段が参照し、或いは、管理するデータの格納先として、例えば、広告情報ＤＢ２１１を補助記憶部９３に備える。
【００４６】
レシート作成装置１２の各処理手段のうち、保存先識別情報生成部１１２、レシートデータ生成部１１３は、例えば、ネットワークＮ上の他の情報処理装置に含まれるとしてもよい。例えば、保存先識別情報生成部１１２、レシートデータ生成部１１３、広告情報ＤＢ２１１は、レシート管理装置１０に含まれるとしてもよい。レシート管理装置１０に、保存先識別情報生成部１１２、レシートデータ生成部１１３、広告情報ＤＢ２１１を含ませることにより、レシート作成装置１２の処理負荷が軽減される。
【００４７】
〔処理ブロック構成〕
次に、図３Ａ，３Ｂに例示の図面を参照し、本実施形態のレシート管理システム１の処理構成を説明する。図３Ａは、レシート作成装置１２で発行されたレシートデータの管理処理を説明する説明図である。図３Ｂは、保存されたレシートデータの購入者の閲覧の時の処理を説明する説明図である。
【００４８】
（レシート作成装置）
図１に例示のレシート作成装置１２は、レシート情報取得部１１１、保存先識別情報生成部１１２、レシートデータ生成部１１３、出力制御部１１４の各処理手段を有する。以上の処理手段は、例えば、レシート作成装置１２のＣＰＵ９１が、主記憶部９２上に実行可能に展開されたコンピュータプログラムを実行することで提供される。なお、レシート作成装置１２は、以上の処理手段が参照し、或いは管理するデータの格納先として広告情報ＤＢ２１１を補助記憶部９３に備える。
【００４９】
広告情報ＤＢ２１１には、例えば、商品等を販売する店舗等が購入者に提供する広告情報が格納されている。広告情報には、例えば、店舗等が企画・支援する各種イベント、店舗等が販売する商品の提供元が新たに販売する新商品についての広告、購入者が購入した商品の商品コードに対応付けられた広告等が含まれる。
【００５０】
図３Ａの説明図に例示のように、レシート作成装置１２は、例えば、店舗等で販売する
商品またはサービスを購入した購入者に対して、購入に係る商品またはサービスへの対価として所定の金銭を購入者から受け取ったことを証明する証明書のレシートＡ１を発行する。図３Ａに例示のレシートＡ１は、レシート作成装置１２により出力部９５のプリンタ等を介して出力されたレシート例である。
【００５１】
図３Ａに例示のレシートＡ１には、購入商品等を販売した店舗等の名称である“ＸＸマート”、レシートの発行日時である“YYYY年MM月DD日hh：ｍｍ”、購入商品の商品名である“購入品１”、“購入品２”、購入商品の販売価格である“金額１”、“金額２”が含まれる。また、レシートＡ１には、購入商品に対する販売価格の小計金額である“小計１”、合計金額である“合計”、購入者から受け取った受取金額である“預り１”、釣銭として購入者に返金された釣銭金額“お釣１”が含まれる。
【００５２】
また、レシート１には、店舗等が提供する広告情報Ａ１１、発行されたレシートのレシートデータを保存する保存先識別情報を示す２次元コード（ＱＲコード（登録商標））Ａ１２が含まれる。なお、レシートＡ１の下端側には、レシートを発行した店舗等の店舗識別情報Ａ１３、発行されたレシートを識別するレシート識別情報Ａ１４が含まれる。なお、レシートＡ１のレシート識別情報Ａ１４には、レシート作成装置１２のレジ識別情報が含まれる。
【００５３】
図１に例示の構成図に戻り、レシート作成装置１２のレシート情報取得部１１１は、例えば、入力部９４を介して入力された購入商品等の販売に係るレシート作成のためのレシート情報を受け付ける。レシート情報には、例えば、店舗等で販売された購入商品毎の商品名、販売価格、購入数量が含まれる。また、レシート情報には、例えば、購入者により購入された商品等の購入金額、購入者から受け取った受取金額、釣銭として購入者に返金された釣銭金額等が含まれる。
【００５４】
レシート情報取得部１１１は、例えば、バーコードリーダを介して入力された、商品等に貼付されたバーコードが示す商品コード、及び、該商品コードに対応付けられた商品名、販売価格等の情報を受け付ける。レシート情報取得部１１１は、例えば、レシート作成装置１２の入力部９４のタッチパネル上で、商品と価格を表示し、購入者の選択を受け付けることで、商品名、販売価格等の情報を取得するとしてもよい。
【００５５】
また、レシート情報取得部１１１は、例えば、入力ボタンやキーボード、タッチパネル等を介して入力された購入商品の購入数量、受取金額等の情報を受け付ける。また、レシート情報取得部１１１は、例えば、商品の販売価格、購入数量等からレシート作成装置１２により求められた、商品購入に係る購入金額、釣銭金額等の情報を受け付ける。
【００５６】
レシート情報取得部１１１は、例えば、受け付けたレシート情報を主記憶部９２の所定の領域に一時的に記憶する。受け付けたレシート情報は、例えば、レシートデータ生成部１１３に引き渡される。
【００５７】
保存先識別情報生成部１１２は、例えば、レシート情報取得部１１１で受け付けたレシート情報に基づいて生成されるレシートデータの保存先の保存先識別情報を生成する。レシートデータの保存先の保存先識別情報は、例えば、レシート毎に生成される。
【００５８】
保存先識別情報生成部１１２は、例えば、レシート情報の受け付けを契機として、時刻情報、店舗識別情報、レジ識別情報、レシート番号を取得する。ここで、時刻情報は、例えば、レシート作成装置１２により管理・計測されている時刻情報であり、西暦、月歴、日歴、時暦、分歴、秒歴を含む。
【００５９】
店舗識別情報は、例えば、商品等を販売する店舗等を一意に識別する識別情報である。レジ識別情報は、例えば、店舗内に複数に設置されたレシート作成装置１２を識別する識別情報である。店舗識別情報、レジ識別情報は、例えば、レシート作成装置１２の補助記憶部９３に予め記憶され管理される。レシート番号は、例えば、レシート作成装置１２により発行されたレシートを管理する識別情報であり、レシート作成装置１２により管理・計数されている発行番号である。
【００６０】
保存先識別情報生成部１１２は、例えば、レシート情報の受け付けを契機として取得した時刻情報、店舗識別情報、レジ識別情報、レシート番号に基づいて、レシート情報に基づいて生成されるレシートデータの保存先の保存先識別情報を生成する。
【００６１】
保存先識別情報生成部１１２は、例えば、時刻情報、レジ識別情報、レシート番号を連結して組合せ、“レジ識別情報、レシート番号、時刻情報”との組合せ情報を生成し、生成した組合せ情報に対して暗号化処理を行う。暗号化処理の結果、組合せ情報の暗号化データが取得される。そして、保存先識別情報生成部１１２は、例えば、取得した暗号化データと店舗識別情報とを組合せ、保存先の保存先識別情報を生成する。例えば、保存先識別情報として、“http://ZZZ.com/hozon_srv/店舗識別情報/暗号化データ”が生成される。
【００６２】
保存先識別情報生成部１１２は、例えば、生成された保存先識別情報を主記憶部９２の所定の領域に一時的に記憶する。生成された保存先識別情報は、例えば、レシートデータ生成部１１３に引き渡される。
【００６３】
レシートデータ生成部１１３は、例えば、受け付けたレシート情報、及び、保存先識別情報、広告情報ＤＢ２１１に格納された各種広告情報に基づいて、レシートデータを生成する。レシートデータ生成部１１３は、例えば、予め補助記憶部９３等に格納されたレシートのひな型を取得し、取得したひな型に受け付けたレシート情報、保存先識別情報、各種広告情報を埋め込んでレシートデータを生成する。なお、保存先識別情報は、例えば、図３Ａに例示するように、二次元コード化による暗号化処理が施され、レシートのひな型の所定の領域に埋め込まれる。但し、レシートデータ生成部１１３は、例えば、保存先識別情報生成部１１２で生成された保存先識別情報を加工せずに、レシートに埋め込むとしてもよい。
【００６４】
レシートデータ生成部１１３は、例えば、生成したレシートデータを保存先識別情報と共にレシート管理装置１２に送信する。生成したレシートデータは、例えば、レシート管理装置１２を介して、保存先識別情報で指定される保存先に保存される。レシートデータ生成部１１３は、例えば、生成したレシートデータをＨＴＭＬで記述されたデータとして、保存先識別情報と共にレシート管理装置１２に送信する。
【００６５】
図３Ａに例示のように、レシートデータの保存先である保存サーバ１１には、例えば、レシートデータ生成部１１３により生成されたレシートＢ１が、購入者端末１３のブラウザが閲覧可能なように、ＨＴＭＬで記述されたイメージ画像として格納される。
【００６６】
なお、レシートＢ１は、保存先サーバ１１に保存されるレシートデータの一例である。レシートデータの形式は、例えば、レシート作成装置１２で発行されたレシートのイメージ画像であってもよく、該レシートに出力された購入商品等に係る各種情報（例えば、日付、購入商品名、購入数量、商品毎の販売価格、支払金額等）のテキストデータでもよい。また、レシートデータの形式は、例えば、購入者端末１３に搭載される表計算ソフト等で利用可能な形式であってもよい。
【００６７】
図３Ａに例示のレシートＢ１の領域Ｂ１１は、例えば、広告情報、保存先識別情報が埋め込まれる領域である。同様に、領域Ｂ１２、Ｂ１３は、それぞれ、レシートＡ１のレシートを発行した店舗等の店舗識別情報Ａ１３、発行されたレシートを識別するレシート識別情報Ａ１４に対応する領域である。なお、レシート識別情報Ａ１４にはレジ識別情報が含まれる。
【００６８】
なお、レシートデータ生成部１１３は、例えば、保存先識別情報及び各種広告情報が埋め込まれるレシートの領域Ｂ１１を空欄状態として、レシートデータの保存先に保存するとしてもよい。例えば、レシート管理装置１０は、購入者端末からのレシートデータのアクセス要求が発生した際に、レシートの空欄状態の領域Ｂ１１に、購入者に発行したレシートとは異なる広告情報を表示することが可能となる。
【００６９】
但し、レシートデータ生成部１１３は、例えば、レシート作成に係るレシート情報、保存先識別情報をレシート管理装置１０に送信するとしてもよい。レシート管理装置１０は、例えば、ネットワークＮを介してレシートデータ生成部１１３から送信されたレシート情報、保存先識別情報を受信する。レシート管理装置１０により受信されたレシート情報、保存先識別情報は、例えば、関連付けられてレシート管理ＤＢ２０１に格納される。
【００７０】
レシートデータ生成部１１３は、例えば、二次元コード化された保存先識別情報、広告情報が含まれるレシートデータを出力制御部１１４に引き渡す。出力制御部１１４は、例えば、レシートデータ生成部１１３から引き渡された、二次元コード化された保存先識別情報、広告情報が含まれるレシートデータを出力部９４のプリンタ等を介して出力する。出力部９４を介して出力されたレシートデータは、例えば、店舗等が発行するレシートＡ１として購入者に手渡される。
【００７１】
なお、保存先識別情報生成部１１２、レシートデータ生成部１１３が、レシート管理装置１０に含まれる場合には、例えば、レシート情報取得部１１１は、取得したレシート情報をレシート管理装置１０に送信するとしてもよい。
【００７２】
例えば、レシート管理装置１０では、レシート情報取得部１１１が取得したレシート情報に基づいて、レシートデータの保存先の保存先識別情報、レシートデータの生成が行われる。レシート管理装置１０で生成されるレシートデータには、例えば、広告情報２０２を参照して取得された広告情報が含まれる。レシート管理装置１０で生成されたレシートデータは、例えば、レシート情報を送信したレシート作成装置１２に送信される。例えば、レシート作成装置１２の出力制御部１１４は、ネットワークＮを介し、レシート管理装置１０から送信されたレシートデータを受信する。そして、出力制御部１１４は、例えば、受信したレシートデータを出力部９４のプリンタ等を介して出力するとすればよい。商品等を購入した購入者には、出力部９４を介して出力されたレシートデータが、例えば、店舗等が発行するレシートＡ１として購入者に手渡される。
【００７３】
また、例えば、レシート作成装置１２が購入者に手渡されるレシートを作成し、レシート管理装置１０がレシート作成装置１２からレシートデータ（および／またはレシートの画像データ）を受け取り、保存先式熱情報を生成してもよい。例えば、レシート作成装置１２は、レシートデータ（および／またはレシートの画像データ）を保存先識別情報で指定される保存先に保存すると共に、保存先識別情報をレシート管理装置１０に送信する。そして、レシート作成装置１２は、レシート管理装置１０から送信された保存先識別情報をレシートに印刷すればよい。
【００７４】
（レシート管理装置）
図１に例示のレシート管理装置１０は、レシート情報管理部１０１、レシートデータア
クセス管理部１０２、端末来歴情報管理部１０３、レシートデータ出力部１０４の各処理手段を有する。以上の処理手段は、例えば、レシート管理装置１０のＣＰＵ９１が、主記憶部９２上に実行可能に展開されたコンピュータプログラムを実行することで提供される。なお、レシート作成装置１０は、以上の処理手段が参照し、或いは管理するデータの格納先としてレシート管理ＤＢ２０１、端末来歴情報管理ＤＢ２０２、広告情報ＤＢ２０３を補助記憶部９３に備える。
【００７５】
広告情報ＤＢ２０３には、例えば、商品等を販売する店舗等が購入者に提供する広告情報が格納されている。広告情報には、例えば、店舗等が企画・支援する各種イベント、店舗等が販売する商品の提供元が新たに販売する新商品についての広告、購入者が購入した商品の商品コードに対応付けられた広告等が含まれる。
【００７６】
図４Ａに、レシート管理ＤＢ２０１の構成例を例示する。レシート管理ＤＢ２０１には、例えば、レシート作成装置１２から送信されたレシート情報、レシートデータの保存先の保存先識別情報が関連付けて格納される。レシート管理ＤＢ２０１では、例えば、レシート情報毎にレシートデータの保存先識別情報が管理される。
【００７７】
図４Ａに例示のレシート管理ＤＢ２０１の構成例は、「店舗識別情報」、「レシート識別情報」、「日付」、「商品名」、「商品コード」、「商品価格」、「保存先識別情報」の各カラムを有する。「店舗識別情報」カラムには、レシートを発行する店舗等の店舗識別情報が格納される。「レシート識別情報」カラムには、レシート作成装置１２を識別する識別情報と該レシート作成装置１２が発行管理する発行番号とを組み合わせたレシート識別情報が格納される。「日付」カラムには、レシートが発行された年歴、月歴、日歴の日付情報が格納される。「商品名」カラムには、購入商品の名称が格納される。「商品コード」カラムには、購入商品の商品コードが格納される。「商品価格」カラムには、購入商品の販売価格が格納される。「保存先識別情報」カラムには、レシートデータの保存先の保存先識別情報が格納される。
【００７８】
図４Ａの構成例では、レシート管理ＤＢ２０１は、店舗識別情報毎のレコードを有し、店舗識別情報毎のレコードはさらに、レシート識別情報毎のサブレコードを有する。図４Ａの構成例の「店舗識別情報」カラムには、“ＸＸＸＸＸ”との店舗識別情報が格納されている。「レシート識別情報」カラムには、“ＲＲ−ＳＳＳＳ”とのレシート識別情報が格納されている。ここで、“ＲＲ”は、店舗“ＸＸＸＸＸ”に設置された複数のレシート作成装置１２を識別する識別情報を表している。また、“ＳＳＳＳ”は、“ＲＲ”の識別情報が付与されたレシート作成装置１２が管理するレシートの発行番号を表している。「日付」カラムには“ＹＹＹＹ．ＭＭ．ＤＤ”で表される日付情報が格納されている。「商品名」カラムには、“商品１”、“商品２”で表された購入商品の名称が格納されている。「商品コード」カラムには、“ＡＡＡＡ”、“ＢＢＢＢ”で表された購入商品の商品コードが格納されている。「商品名」カラムに“ＡＡＡＡ”が格納されたサブレコードの「商品価格」カラムには“￥￥￥￥１”との販売価格が格納されている。また、「商品名」カラムに“ＢＢＢＢ”が格納されたサブレコードの「商品価格」カラムには“￥￥￥￥２”との販売価格が格納されている。
【００７９】
「レシート識別情報」カラムに“ＲＲ−ＳＳＳＳ”が格納されたサブレコードの「保存先識別情報」には、“http://ZZZ.com/hozon_srv/ＸＸＸＸ/      …      ”が格納されている。「保存先識別情報」カラムには、保存先サーバ１１のネットワークＮ上のアドレスを表すＵＲＬが格納されている。なお、保存先識別情報に含まれる“ＸＸＸＸ”は、レシートを発行する店舗等の店舗識別情報であり、“    …    ”は暗号化データを表す。暗号化データは、例えば、「レシート識別情報」カラムに格納されたレシート識別情報に、「日付」カラムの日付情報にレシートが発行された時暦、分歴の情報を連結して生成さ
れる。
【００８０】
図４Ｂに、端末来歴情報管理ＤＢ２０２の構成例を例示する。端末来歴情報管理ＤＢ２０２には、例えば、端末来歴情報、保存先識別情報が関連付けて格納される。端末来歴情報管理ＤＢ２０２では、共通する端末来歴情報に対応付けられた複数の保存先識別情報が管理される。
【００８１】
図４Ｂに例示の端末来歴情報管理ＤＢ２０２の構成例は、「端末来歴情報」、「時刻情報」、「保存先識別情報」の各カラムを有する。「端末来歴情報」カラムには、レシートデータの保存先に購入者端末１３からアクセス要求が発生したときに発行されるCookie等が端末来歴情報として格納される。「時刻情報」カラムには、レシートデータの保存先に購入者端末からアクセス要求が発生した年歴、月歴、日歴、時暦、分歴、秒歴の時刻情報が格納される。「保存先識別情報」カラムには、購入者端末１３からアクセス要求があった、レシートデータの保存先の保存先識別情報が格納される。
【００８２】
図４Ｂの構成例では、端末来歴情報管理ＤＢ２０２は、端末来歴情報毎のレコードを有し、端末来歴情報毎のレコードはさらに、保存先識別情報毎のサブレコードを有する。図４Ｂの構成例の「端末来歴情報」カラムには、“abcdefghijklmn”との端末来歴情報が格納されている。「時刻情報」カラムには、“ＹＹＹＹ．ＭＭ．ＤＤ．ｈｈ．ｍｍ．ｓｓ”で表される時刻情報が格納されている。「端末来歴情報」カラムに“abcdefghijklmn”が格納されたレコードは、「保存先識別情報」カラムに“http://ZZZ.com/hozon_srv/XXXXX/      …a      ”が格納されたサブレコードを有している。また、同レコードは、「保存先識別情報」カラムに“http://ZZZ.com/hozon_srv/eeeee/      …b      ”、“http://ZZZ.com/hozon_srv/ggggg/      …c      ”が格納されたサブレコードを有している。
【００８３】
図４Ｂの構成例では、“abcdefghijklmn”と言った共通する端末来歴情報に対応付けられて、レシートデータが保存された保存先の複数の保存先識別情報が管理されていることが判る。
【００８４】
図３Ｂの説明図に例示のように、レシート作成装置１２で発行されたレシートＡ１には、レシートデータの保存先を示す保存先識別情報が含まれる。保存先識別情報は、例えば、２次元コードでコード化されている。レシートＡ１を手渡された購入者は、例えば、購入者端末１３の入力部９４のカメラ等を介し、レシートに含まれる保存先識別情報の読取りを行う。そして、例えば、購入者は購入者端末１３を操作し、購入者端末１３に搭載されたブラウザ機能を介し、保存先識別情報で指定されるネットワークＮ上の保存先である保存サーバ１１にアクセスする。なお、購入者は、レシートＡ１に含まれる保存先識別情報がテキスト等で記述されている場合には、例えば、ＯＣＲ等で読取った文字を入力し、保存サーバ１１にアクセスするとしてもよい。
【００８５】
レシートデータが保存された保存サーバ１１は、該保存サーバ１１に保存されたレシートデータを管理するレシート管理装置１０の管理下にある。このため、例えば、購入者端末１３のブラウザ機能を介した、保存先識別情報に基づく保存サーバ１１へのアクセス要求は、レシート管理装置１０により管理される。
【００８６】
レシート管理装置１０は、例えば、管理下にある保存サーバ１１に保存されたレシートデータに対するアクセス要求が発生すると、購入者端末１３のブラウザ機能によるアクセス実績を識別・特定するための端末来歴情報（例えば、“Cookie”）を発行する。レシート管理装置１０が発行した端末来歴情報は、例えば、ブラウザ機能を介して購入者端末１３に保存される。レシート管理装置１０は、例えば、購入者端末１３に保存された端末来
歴情報に基づいて、購入者端末１３からアクセス要求があった複数の保存先識別情報の管理を行う。
【００８７】
なお、レシートデータを保存する保存サーバ１１は、例えば、レシート管理装置１０と一体とする構成であってもよい。レシート管理装置１０の構成にレシートデータを保存する保存先を含むことにより、レシートデータの処理速度等を向上させることができる。
【００８８】
図１に例示の構成図に戻り、レシート管理装置１０のレシート情報管理部１０１は、例えば、レシート作成装置１２から送信されたレシート作成に係るレシート情報、保存先識別情報を受け付ける。レシート作成に係るレシート情報、保存先識別情報は、例えば、レシートデータ生成部１１３により送信される。レシート情報管理部１０１は、例えば、受け付けたレシート情報、保存先識別情報を主記憶部９２の所定の領域に一時的に記憶する。
【００８９】
そして、レシート情報管理部１０１は、例えば、受け付けたレシート情報、保存先情報を関連付けてレシート管理ＤＢ２０１に格納する。レシート管理装置１０は、例えば、レシート情報に含まれる店舗識別情報、レジ識別情報、レシート番号、商品名、商品コード、商品価格、保存先識別情報を関連付けて、図４Ａに例示のレシート管理ＤＢ２０１の各カラムに格納する。
【００９０】
なお、レシート管理装置１０に、保存先識別情報生成部１１２、レシートデータ生成部１１３を含む場合には、レシート情報管理部１０１は、レシート作成装置１２のレシート情報取得部１１１から送信されたレシート情報を受け付けるとすればよい。そして、レシート管理装置１０に含まれる保存先識別情報生成部１１２で生成されたレシートデータの保存先識別情報を、受け付けたレシート情報と関連付けてレシート管理ＤＢ２０１に格納するとすればよい。
【００９１】
レシートデータアクセス管理部１０２は、例えば、購入者端末１３のブラウザ機能を介して送信された、保存先識別情報に基づくアクセス要求を受け付ける。レシートデータアクセス管理部１０２は、例えば、受け付けたアクセス要求に含まれる保存先識別情報を、受け付けた時刻情報と共に取得する。そして、レシートデータアクセス管理部１０２は、例えば、受け付けた購入者端末１３のブラウザ機能によるアクセス実績を識別・特定するための端末来歴情報を発行する。端末来歴情報として、例えば、“Cookie”が例示できる。
【００９２】
レシートデータアクセス管理部１０２は、例えば、保存先識別情報で指定される保存先にアクセス要求を発生させた購入者端末１３に、端末来歴情報を送信する。購入者端末１３に送信された端末来歴情報は、例えば、購入者端末１３のブラウザ機能を介して受信され、購入者端末１３に保存される。購入者端末１３に保存された端末来歴情報は、購入者端末１３が、次にネットワークＮ上の各種サーバ等にアクセスするときに、例えば、ＨＴＴＰのリクエスト等の手順に従って、購入者端末１３からネットワークＮ上の各種サーバ等に引き渡される。
【００９３】
レシートデータアクセス管理部１０２は、例えば、端末来歴情報が発行されたアクセス要求を、アクセス要求に含まれる保存先識別情報で指定される保存先に遷移させる。なお、レシートデータアクセス管理部１０２は、例えば、アクセス要求に含まれる保存先識別情報、アクセス要求を受け付けた時刻情報、アクセス要求に応じて発行された端末来歴情報を、端末来歴情報管理部１０３に引き渡す。
【００９４】
端末来歴情報管理部１０３は、例えば、レシートデータアクセス管理部１０２から引き
渡された保存先識別情報、時刻情報、端末来歴情報を関連付けて、図４Ｂに例示の端末来歴情報管理ＤＢ２０２の各カラムに格納する。端末来歴情報管理部１０３は、例えば、端末来歴情報管理ＤＢ２０２に既に格納された端末来歴情報のレコードが存在する場合には、新たに取得された保存先識別情報のサブレコードを生成し、該保存先識別情報を格納する。なお、端末来歴情報管理部１０３は、例えば、サブレコード等を生成せずに、既に格納されている保存先識別情報の後に“，”等の区切りを入れ、新たに取得された保存先識別情報を同一のレコードに追加するとしてもよい。
【００９５】
レシートデータ出力部１０４は、例えば、ネットワークＮに接続する他の情報処理装置等の要求を受け、レシート管理ＤＢ２０１、端末来歴情報管理ＤＢ２０２に格納されたレシート情報、保存先識別情報、端末来歴情報等の抽出を行う。レシートデータ出力部１０４は、例えば、抽出した各種情報を、要求を受け付けた他の情報処理装置に出力する。なお、他の情報処理装置とは、例えば、レシート管理装置１０により、レシート管理ＤＢ２０１、端末来歴情報管理ＤＢ２０２に格納された各種情報の提供の許可を受けた情報処理装置である。例えば、図６に例示のサービス提供装置２０が提示できる。
【００９６】
〔処理フロー〕
以下、図５Ａ、５Ｂに例示のフローチャートを参照し、本実施形態のレシート作成処理、レシート管理処理を説明する。
【００９７】
（レシート作成処理）
図５Ａに、レシート作成装置１２で実行されるレシート作成処理のフローチャートを例示する。図５Ａに例示のフローチャートにおいて、レシート作成処理の開始は、例えば、購入商品等の販売に係るレシート作成のためのレシート情報の受け付けのときが例示できる。ここで、レシート情報には、例えば、店舗等で販売された購入商品毎の商品名、販売価格、購入数量、購入者により購入された商品等の購入金額、購入者から受け取った受取金額、釣銭として購入者に返金された釣銭金額等が含まれる。レシート作成装置１２は、例えば、入力部９４を介して入力されたレシート情報を受け付ける（Ｓ１）。そして、レシート作成装置１２は、例えば、受け付けたレシート情報を主記憶部９２の所定の領域に一時的に記憶する。レシート作成装置１２は、例えば、受け付けたレシート情報を、Ｓ３の処理に引き渡す。
【００９８】
Ｓ２の処理では、レシート作成装置１２は、例えば、Ｓ１の処理で受け付けたレシート情報に基づいて生成されるレシートデータの保存先の保存先識別情報の生成を行う。レシート作成装置１２は、例えば、レシートデータの保存先識別情報として、ネットワークＮ上のアドレスを示す、“http://ZZZ.com/hozon_srv/店舗識別情報/暗号化データ”と言ったＵＲＬ情報を生成する。なお、保存先識別情報の生成については、例えば、図１の保存先識別情報部１１２で説明した。レシート作成装置１２は、例えば、生成された保存先識別情報を主記憶部９２の所定の領域に一時的に記憶する。レシート作成装置１２は、例えば、生成されたレシートデータの保存先識別情報を、レシート情報を受け付けた時刻情報と共にＳ３の処理に引き渡す。
【００９９】
Ｓ３の処理では、レシート作成装置１２は、例えば、Ｓ１の処理から引き渡されたレシート情報、Ｓ２の処理から引き渡されたレシートデータの保存先識別情報、レシート情報を受け付けた時刻情報、広告情報ＤＢ２１１に格納された各種広告情報に基づいてレシートデータの生成を行う。
【０１００】
レシート作成装置１２は、例えば、予め補助記憶部９４に格納された商品等の購入者に発行されるレシートのひな型を取得する。そして、レシート作成装置１２は、例えば、取得したレシートのひな型に、レシート情報、保存先識別情報、時刻情報、広告情報を埋め
込んでレシートデータを生成する。なお、保存先識別情報は、例えば、図３Ａに例示するように、二次元コード化による暗号化処理が施され、レシートのひな型の所定の領域に埋め込まれる。
【０１０１】
Ｓ４の処理では、レシート作成装置１２は、例えば、Ｓ３の処理で生成したレシートデータを保存先識別情報で指定される保存先に保存する。レシートデータ生成部１１３は、例えば、生成したレシートデータをＨＴＭＬで記述された画像データとして、保存先識別情報で指定される保存先に保存する。レシート作成装置１２は、例えば、生成したレシートデータを保存サーバ１１に保存してもよい。また、レシート作成装置１２は、例えば、生成したレシートデータを保存先識別情報と共にレシート管理装置１０に送信し、レシート管理装置１０のドメイン管理下にある保存サーバ１１に保存を依頼するとしてもよい。
【０１０２】
また、レシート作成装置１２は、例えば、レシート作成に係るレシート情報、時刻情報、保存先識別情報をレシート管理装置１０に送信する。レシート管理装置１０に送信されたレシート情報、時刻情報、保存先識別情報はレシート管理装置１０により関連付けられて、レシート管理ＤＢ２０１に格納される。
【０１０３】
Ｓ５の処理では、レシート作成装置１２は、例えば、Ｓ３の処理で生成したレシートデータを出力部９４のプリンタ等を介して出力する。出力部９４を介して出力されたレシートデータは、例えば、店舗等が発行するレシートとして購入者に手渡される。
【０１０４】
なお、図５Ａに例示のレシート作成処理は、例えば、レシート管理装置１０で実行されるとしてもよい。レシート管理装置１０でレシート作成処理が実行される場合には、例えば、Ｓ１の処理では、レシート作成装置１２から送信されたレシート作成情報を受け付けるとすればよい。そして、レシート管理装置１０は、例えば、Ｓ２−Ｓ４の処理で生成されたレシートデータをレシート作成装置１２に送信するとすればよい。レシート作成装置１２では、例えば、レシート管理装置１０から送信されたレシートデータに基づいてＳ５の処理を実行するとすればよい。
【０１０５】
また、レシート管理装置１０は、Ｓ２の処理を実行するとしてもよい。例えば、レシート管理装置１０は、例えば、保存先識別情報を除くレシートデータを取得し、保存先識別情報の生成を行う。そして、レシート管理装置１０は、例えば、生成した保存先識別情報をレシート作成装置に送信し、レシートデータを生成するとしてもよい。
【０１０６】
ここで、レシート管理装置１０で実行されるＳ３の処理は、取得したレシートデータに対して保存先識別情報を生成するステップの一例である。また、レシート管理装置１０のＣＰＵ９１は、取得したレシートデータに対して保存先識別情報を生成する手段の一例としてＳ３の処理を実行する。
【０１０７】
また、レシート管理装置１０で実行されるＳ１−Ｓ３の処理は、店舗で利用される店舗端末から商品またはサービスの購入を示す購入情報を取得し、レシートデータを生成するステップの一例である。また、レシート管理装置１０のＣＰＵ９１は、店舗で利用される店舗端末から商品またはサービスの購入を示す購入情報を取得し、レシートデータを生成する手段の一例としてＳ１−Ｓ３の処理を実行する。
【０１０８】
また、レシート管理装置１０で実行されるＳ２の処理は、レシートデータを保存する保存先を特定する保存先識別情報を生成するステップの一例である。また、レシート管理装置１０のＣＰＵ９１は、レシートデータを保存する保存先を特定する保存先識別情報を生成する手段の一例としてＳ２の処理を実行する。
【０１０９】
また、レシート管理装置１０で実行されるＳ４の処理は、保存先識別情報で特定される保存先にレシートデータを保存するステップの一例である。また、レシート管理装置１０のＣＰＵ９１は、保存先識別情報で特定される保存先にレシートデータを保存する手段の一例としてＳ４の処理を実行する。
【０１１０】
以上、説明したように、レシート作成装置１２は、購入者に提供されるレシートを、該レシートデータが保存された保存先識別情報（例えば、ＵＲＬ（Uniform Resource Locator））を指定し、購入した商品またはサービスの価格と共に出力することができる。レシート作成装置１２は、例えば、レシートを紙媒体として出力する場合には、商品またはサービスの価格を含むレシートデータを、該レシートデータが保存された保存先識別情報と共に紙媒体のレシートに出力し、購入者に提供することができる。
【０１１１】
レシートの提供を受けた購入者は、例えば、レシートに出力されたレシートデータの保存先識別情報を読み取り、自宅の購入者端末１３を介してネットワーク上の保存先にアクセスすることにより、レシートデータを取得することができる。店舗等では、例えば、個人情報を用いたユーザ登録を行わない購入者であっても、該購入者が購入した商品またはサービスについてのレシートデータを電子化情報として提供することができる。
【０１１２】
（レシート管理処理）
図５Ｂに、レシート管理装置１０で実行される、レシート情報と保存先識別情報との管理処理のフローチャートを例示する。図５Ｂに例示のフローチャートにおいて、処理の開始は、例えば、レシート作成装置１２から送信されたレシート情報、時刻情報、保存先識別情報の受け付けのときが例示できる。レシート管理装置１０は、例えば、レシート作成装置１２からネットワークＮ上に送信されたレシート情報、時刻情報を受け付ける（Ｓ１１）。なお、Ｓ１１の処理では、レシート管理装置１０は、例えば、レシート作成装置１２から送信されたレシートデータを受け付けてもよい。
【０１１３】
レシート管理装置１０は、同様にして、レシート作成装置１２から送信された、レシートデータの保存先を指定する保存先識別情報を受け付ける（Ｓ１２）。そして、レシート管理装置１０は、例えば、レシート作成装置１２から送信されたレシートデータを保存先識別情報で指定される保存先に保存する（Ｓ１３）。なお、レシート管理装置１０で、Ｓ１１の処理で受け付けた各種情報に基づいてレシートデータを作成する場合には、レシート管理装置１０で作成されたレシートデータが保存処理の対象となる。
【０１１４】
レシート管理装置１０は、例えば、Ｓ１１−Ｓ１２の処理で受け付けた各種情報を主記憶部９２の所定の領域に一時的に記憶する。レシート管理装置１０は、例えば、Ｓ１１−Ｓ１２の処理で受け付けた各種情報をＳ１４の処理に引き渡す。
【０１１５】
Ｓ１４の処理では、レシート管理装置１０は、例えば、レシート情報に含まれる店舗識別情報、レジ識別情報、レシート番号、商品名、商品コード、商品価格、保存先識別情報を関連付けて、図４Ａに例示のレシート管理ＤＢ２０１の各カラムに格納する。レシート管理ＤＢ２０１には、例えば、レシート作成装置１２から発行されたレシート毎に対応付けられたレシート情報と保存先識別情報が格納される。
【０１１６】
なお、レシート管理装置１０は、Ｓ１１の処理でレシートデータを受け付けている場合には、受け付けたレシートデータからレシート情報を抽出し、抽出したレシート情報を保存先識別情報に関連付けてレシート管理ＤＢ２０１に格納するとすればよい。
【０１１７】
ここで、レシート管理装置１０で実行されるＳ１１−Ｓ１２の処理は、店舗で利用される店舗端末からレシートデータと保存先識別情報を取得するステップの一例である。また
、レシート管理装置１０のＣＰＵ９１は、店舗で利用される店舗端末からレシートデータと保存先識別情報を取得する手段の一例としてＳ１１−Ｓ１２の処理を実行する。
【０１１８】
また、レシート管理装置１０で実行されるＳ１１の処理は、店舗で利用される店舗端末からレシートデータを取得する取得ステップの一例である。また、レシート管理装置１０のＣＰＵ９１は、店舗で利用される店舗端末からレシートデータを取得する取得手段の一例としてＳ１１の処理を実行する。
【０１１９】
次に、図５Ｃに例示のフローチャートを参照し、レシート管理装置１０で実行されるレシートデータの保存先を指定する保存先識別情報と、購入者端末１３からアクセス要求が発生したときに発行される端末来歴情報との管理処理を説明する。図５Ｃは、レシート管理装置１０で実行される、保存先識別情報と端末来歴情報との管理処理のフローチャートの例示である。
【０１２０】
図５Ｃに例示のフローチャートにおいて、処理の開始は、例えば、保存先識別情報に基づいて購入者端末１３のブラウザ機能を介して送信された、レシートデータの保存先へのアクセス要求の発生のときが例示できる。
【０１２１】
例えば、図３Ａに例示の、レシート作成装置１２で発行されたレシートＡ１を手渡された購入者は、レシートＡ１に含まれる２次元コード化された保存先識別情報の読み取りを行う。購入者は、例えば、購入者端末１３を操作し、購入者端末１３のブラウザ機能を介して保存先識別情報で指定される、レシートデータの保存先にアクセスする。保存先識別情報で指定される、レシートデータの保存先である保存サーバ１１は、レシート管理装置１０の管理下にある。このため、ネットワークＮ上のアドレスが指定される保存サーバ１１の保存先識別情報には、レシート管理装置１０が管理するドメイン名が含まれる。
【０１２２】
レシート管理装置１０は、例えば、購入者端末１３のブラウザ機能を介して保存先識別情報で指定される、レシート管理装置１０が管理するドメイン下に位置する保存サーバ１１へのアクセス要求が発生した場合には、該アクセス要求を検知する。
【０１２３】
レシート管理装置１０は、例えば、購入者端末１３のブラウザ機能を介して発生した、保存先識別情報に保存されたレシートデータの読み出し要求（アクセス要求）を受け付ける（Ｓ２１）。レシート管理装置１０は、例えば、購入者端末１３からのアクセス要求で指定された、レシートデータの保存先のアドレス情報である保存先識別情報を取得する（Ｓ２２）。レシート管理装置１０は、例えば、Ｓ２２の処理で取得した保存先識別情報を主記憶部９２の所定の領域に一時的に記憶する。
【０１２４】
Ｓ２３の処理では、レシート管理装置１０は、例えば、保存先識別情報で指定される購入者端末１３からの、レシートデータの読み出し要求が初回であるかを判定する。レシート管理装置１０は、例えば、購入者端末１３からのレシートデータの読み出し要求に端末来歴情報が含まれるか否かを判定する。購入者端末１３からのレシートデータの読み出し要求が端末来歴情報を含む場合には、レシート管理装置１０のドメイン下に管理される保存先へのアクセスが初回ではないと判断できるからである。
【０１２５】
レシート管理装置１０は、例えば、購入者端末１３からのレシートデータの読み出し要求に端末来歴情報が含まれない場合には（Ｓ２３，ＹＥＳ）、購入者端末１３のブラウザ機能によるアクセス実績を識別・特定するための端末来歴情報（例えば、“Cookie”）を発行する。そして、レシート管理装置１０は、例えば、発行した端末来歴情報を購入者端末１３に送信し、購入者端末１３に発行した端末来歴情報を設定する（Ｓ２４）。購入者端末１３に送信された端末来歴情報は、例えば、購入者端末１３のブラウザ機能を介して
該購入者端末１３に保存される。
【０１２６】
Ｓ２５の処理では、レシート管理装置１０は、例えば、発行した端末来歴情報とＳ２２の処理で取得した、レシートデータの保存先を指定するアドレス情報である保存先識別情報とを関連付けて保存する。レシート管理装置１０は、例えば、端末来歴情報と保存先識別情報とを関連付けて、図４Ｂに例示の端末来歴情報管理ＤＢ２０２の各カラムに格納する。そして、レシート管理装置１０は、例えば、購入者端末１３のブラウザ機能を介して受け付けたアクセス要求を、保存先識別情報で指定されるレシートデータの保存先に遷移させる（Ｓ２９）。
【０１２７】
一方、レシート管理装置１０は、例えば、購入者端末１３からのレシートデータの読み出し要求に端末来歴情報が含まれる場合には（Ｓ２３，ＮＯ）、Ｓ２６の処理に移行する。Ｓ２６の処理では、レシート管理装置１０は、例えば、購入者端末１３に既に設定された端末来歴情報の取得を行う。例えば、レシート管理装置１０は、読み出し要求に含まれる端末来歴情報を取得する。取得した端末来歴情報は、例えば、主記憶部９２の所定の領域に一時的に記憶される。
【０１２８】
Ｓ２７の処理では、レシート管理装置１０は、例えば、Ｓ２６の処理で取得した端末来歴情報に基づいて、端末来歴情報管理ＤＢ２０２の検索を行う。検索の結果、レシート管理装置１０は、例えば、端末来歴情報管理ＤＢ２０２の格納された、Ｓ２６の処理で取得した端末来歴情報の管理レコードを特定する。そして、レシート管理装置１０は、例えば、特定した端末来歴情報の管理レコードに、Ｓ２２の処理で取得した、レシートデータの保存先を指定するアドレス情報である保存先識別情報を関連付けて保存する（Ｓ２８）。
【０１２９】
レシート管理装置１０は、例えば、特定した管理レコードにサブレコードを追加し、Ｓ２２の処理で取得した保存先識別情報を格納する。サブレコードが追加された端末来歴情報管理ＤＢ２０２では、例えば、単一の端末来歴情報の管理レコードに、該端末来歴情報関連付けられた複数の保存先識別情報が格納される。レシート管理装置１０は、例えば、端末来歴情報が共通する複数の保存先識別情報を管理することが可能となる。
【０１３０】
なお、レシート管理装置１０は、例えば、Ｓ２８の処理の後、Ｓ２９の処理に移行し、購入者端末１３のブラウザ機能を介して受け付けたアクセス要求を、保存先識別情報で指定されるレシートデータの保存先に遷移させる。保存先識別情報で指定される保存先に遷移後、購入者端末１３の出力部９５のＬＣＤ等の表示画面には、ブラウザ機能を介して読取られたレシートデータが表示される。
【０１３１】
ここで、レシート管理装置１０で実行されるＳ２２の処理は、商品またはサービスの購入者が使用する購入者端末がアクセス可能なネットワーク上の、商品またはサービスの価格を含むレシートデータが保存される保存先を特定する保存先識別情報を得るステップの一例である。また、レシート管理装置１０のＣＰＵ９１は、商品またはサービスの購入者が使用する購入者端末がアクセス可能なネットワーク上の、前記商品またはサービスの価格を含むレシートデータが保存される保存先を特定する保存先識別情報を得る手段の一例としてＳ２２の処理を実行する。
【０１３２】
また、レシート管理装置１０で実行されるＳ２４の処理は、保存先にアクセスする購入者端末にアクセス実績を特定する端末来歴情報を設定するステップの一例である。また、レシート管理装置１０のＣＰＵ９１は、保存先にアクセスする購入者端末にアクセス実績を特定する端末来歴情報を設定する手段の一例としてＳ２４の処理を実行する。
【０１３３】
また、レシート管理装置１０で実行されるＳ２５の処理は、購入者端末に設定した端末
来歴情報と購入者端末によってアクセスされた保存先を特定する保存先識別情報とを関連づけて記憶部に保持するステップの一例である。また、レシート管理装置１０のＣＰＵ９１は、購入者端末に設定した端末来歴情報と購入者端末によってアクセスされた保存先を特定する保存先識別情報とを関連づけて記憶部に保持する手段の一例としてＳ２５の処理を実行する。
【０１３４】
また、レシート管理装置１０で実行されるＳ２３−Ｓ２８の処理は、購入者端末から保存先識別情報を指定したレシートデータへのアクセス要求を受信したときに、アクセス要求元の購入者端末に端末来歴情報が設定されているか否かによって購入者端末からの読み出し要求が初回の要求か否かを判定し、初回の要求であると判定した場合に、読み出し要求元の購入者端末からのアクセス実績を特定するための端末来歴情報を読み出し要求元の購入者端末に保存し、読み出し要求元の購入者端末に保存した端末来歴情報と関連づけて読み出し要求に指定された保存先識別情報を記憶部に保持し、初回の要求でないと判定した場合に、アクセス要求元の購入者端末に保存されている端末来歴情報に関連付けて記憶部に保持されている保存先識別情報とともに、読み出し要求に指定された保存先識別情報を記憶部に保持する、管理ステップの一例である。また、レシート管理装置１０のＣＰＵ９１は、購入者端末から保存先識別情報を指定したレシートデータへのアクセス要求を受信したときに、アクセス要求元の購入者端末に端末来歴情報が設定されているか否かによって購入者端末からの読み出し要求が初回の要求か否かを判定し、初回の要求であると判定した場合に、読み出し要求元の購入者端末からのアクセス実績を特定するための端末来歴情報を読み出し要求元の購入者端末に保存し、読み出し要求元の購入者端末に保存した端末来歴情報と関連づけて読み出し要求に指定された保存先識別情報を記憶部に保持し、初回の要求でないと判定した場合に、アクセス要求元の購入者端末に保存されている端末来歴情報に関連付けて記憶部に保持されている保存先識別情報とともに、読み出し要求に指定された保存先識別情報を記憶部に保持する、管理手段の一例としてＳ２３−Ｓ２８の処理を実行する。
【０１３５】
＜実施例２＞
図６に、実施例２（以下、本実施形態と称す）のレシート管理システム１ａの説明図を例示する。本実施形態のレシート管理システム１ａでは、レシート管理装置１０によって管理される各種情報を用いて各種サービスを購入者に提供する、サービス提供装置２０を構成に備える。なお、購入者端末１３、レシート管理装置１０は、実施例１と同様である。
【０１３６】
図６に例示のレシート管理システム１ａにおいて、購入者端末１３、レシート管理装置１０、サービス提供装置２０は、ネットワークＮを介して接続される。なお、サービス提供装置２０は、例えば、図２の情報処理装置９０の構成によって例示される。
【０１３７】
図６に例示のレシート管理システム１ａでは、例えば、レシート作成装置１２から発行されたレシートを有する購入者に対し、レシート管理装置１０の管理下にある保存先に保存されたレシートデータについての処理サービスが提供される。保存先に保存されたレシートデータについての処理サービスは、例えば、サービス提供装置２０により提供される。ここで、サービス提供装置２０で提供されるサービスとは、例えば、保存先識別情報で指定される保存先に保存された複数のレシートデータを収集し、家計簿管理を実行し、支出を集計し、表示する等の処理などである。
【０１３８】
サービス提供装置２０は、例えば、レシートデータの保存先である保存サーバ１１と同様に、レシート管理装置１０の管理下に置かれる。このため、サービス提供装置２０のネットワーク上のアドレス情報には、例えば、レシート管理装置１０が管理するドメイン名が含まれる。
【０１３９】
サービス提供装置２０は、例えば、保存先識別情報で指定される保存先に保存された複数のレシートデータを収集し、家計簿サービスといったレシート処理サービスを購入者に提供する。なお、サービス提供装置２０で提供される処理サービスは家計簿サービスに限定されない。例えば、保存先識別情報で指定される、ネットワークＮ上の複数の保存先に分散して保存されたレシートデータを用いた処理サービスであればよい。
【０１４０】
図６に例示のレシート管理システム１ａにおいて、購入者は、例えば、購入者端末１３を操作し、ブラウザ機能を介してサービス提供装置２０にレシートデータを用いた処理サービスを要求する。サービス提供装置２０は、例えば、購入者端末１３からのサービス要求に応じて、サービス管理装置１０が既に発行して購入者端末１３に設定された端末来歴情報を取得する。そして、サービス提供装置２０は、例えば、取得した端末来歴情報をレシート管理サーバ１０に通知し、端末来歴情報と関連付けられて管理されているレシートデータの保存先識別情報を取得する。サービス提供装置２０は、例えば、取得した保存先識別情報に基づいて、保存先識別情報で指定される保存先に保存されたレシートデータを取得する。そして、サービス提供装置２０は、例えば、サービス要求を発生させた購入者端末１３に対して、取得したレシートデータに基づいた処理サービスを提供する。
【０１４１】
さらに、サービス提供装置２０は、例えば、取得した保存先識別情報をレシート管理装置１０に通知し、保存先識別情報と関連付けられた管理されているレシート情報を取得する。そして、サービス提供装置２０は、例えば、サービス要求を発生させた購入者端末１３に対して、取得したレシート情報に基づいた処理サービスを提供する。
【０１４２】
なお、以上の説明では、サービス提供装置２０は、例えば、レシート管理装置１０が管理するドメイン下に所属するものとして説明した。サービス提供装置２０は、例えば、レシート管理装置１０が管理するドメインと異なるドメインであってもよい。サービス提供装置２０とレシート管理装置１０とが異なるドメインである場合には、例えば、レシートデータの保存先にサービス提供装置２０に遷移するリンクを設定するとすればよい。
【０１４３】
例えば、レシートデータが保存された管理先に、サービス提供装置２０が提供する家計簿アプリ等を行う操作ボタン等を設定する。操作ボタン等には、家計簿アプリ等を提供するサービス提供装置２０のネットワークＮ上のアドレス情報が設定されている。そして、レシートデータを表示画面等に表示させた購入者が入力部９４のポインティングデバイス等を介し、家計簿アプリ等を実行する操作ボタンの選択操作を行う。操作ボタン等の選択操作が行われた場合には、操作ボタンに設定されたアドレス情報に基づいて家計簿アプリ等を提供するサービス提供装置２０に遷移する。
【０１４４】
サービス提供装置２０では、例えば、遷移元であるレシートデータの保存先である保存先識別情報を取得し、取得した保存先識別情報に基づいてレシート管理装置２０から保存先識別情報と関連付けられたレシート情報、端末来歴情報を取得することができる。本実施形態のレシート管理システム１ａでは、異なるドメインである場合であっても、サービス提供装置２０が提供する処理サービスを購入者に提供できる。
【０１４５】
本実施形態のレシート管理システム１ａでは、例えば、レシート管理装置１０で管理されている各種情報を用いた処理サービスを、レシート作成装置１２で発行されたレシートを有する購入者に提供することができる。
【０１４６】
〔処理フロー〕
図７に、サービス提供装置２０で実行される管理情報の取得処理のフローチャートを例示する。なお、図７に例示の処理は、例えば、サービス提供装置２０のＣＰＵ９１が、補
助記憶部９３に格納された各種プログラム、各種データを読み出し、主記憶部９２上に実行可能に展開されたコンピュータプログラムを実行することで提供される。
【０１４７】
図７に例示のフローチャートにおいて、管理情報の取得処理の開始は、例えば、購入者端末１３からのサービスの要求のときが例示できる。サービス提供装置２０は、例えば、購入者端末１３に設定された端末来歴情報の取得を行う（Ｓ３１）。端末来歴情報は、例えば、保存先識別情報で指定された保存先に保存されたレシートデータのアクセスのときに、レシート管理装置１０により発行され、購入者端末１３に設定される。
【０１４８】
サービス提供装置２０は、例えば、Ｓ３１の処理で取得した端末来歴情報をレシート管理装置１０に通知し、該端末来歴情報に関連付けられたレシートデータの保存先識別情報の取得を行う（Ｓ３２）。サービス提供装置２０は、例えば、取得した保存先識別情報を主記憶部９２の所定の領域に一時的に記憶する。
【０１４９】
保存先識別情報を取得したサービス提供装置２０は、例えば、保存先識別情報で指定される、ネットワークＮ上のレシートデータの保存先から保存されたレシートデータを取得する（Ｓ３３）。なお、サービス提供装置２０は、例えば、Ｓ３２の処理で取得した保存先識別情報が複数に存在する場合には、それぞれの保存先識別情報で指定されるネットワークＮ上の保存先から保存されたレシートデータを取得する。サービス提供装置２０は、例えば、取得したレシートデータを主記憶部９２の所定の領域に一時的に記憶する。
【０１５０】
サービス提供装置２０は、例えば、Ｓ３２の処理で取得した保存先識別情報をレシート管理装置１０に通知し、該保存先識別情報に関連付けられたレシート情報の取得を行う（Ｓ３４）。サービス提供装置２０は、例えば、取得したレシート情報を保存先識別情報に対応付けて主記憶部９２の所定の領域に一時的に記憶する。
【０１５１】
ここで、サービス提供装置２０で実行されるＳ３１の処理は、端末からのアクセスを受け付けたときに、端末に所定の端末来歴情報が格納されているときに、所定の端末来歴情報を取得するステップの一例である。また、サービス提供装置２０のＣＰＵ９１は、端末からのアクセスを受け付けたときに、端末に所定の端末来歴情報が格納されているときに、所定の端末来歴情報を取得する手段の一例としてＳ３１の処理を実行する。
【０１５２】
また、サービス提供装置２０で実行されるＳ３３の処理は、取得した端末来歴情報を基に、端末来歴情報に関連付けてレシートデータを格納するサーバからレシートデータを取得するステップ一例である。また、サービス提供装置２０のＣＰＵ９１は、取得した端末来歴情報を基に、端末来歴情報に関連付けてレシートデータを格納するサーバからレシートデータを取得する手段の一例としてＳ３３の処理を実行する。
【０１５３】
以上、説明したように、本実施形態の開示の技術によれば、ユーザ登録を行うことなく、実店舗における商品またはサービスの購入者の購買履歴とユーザ端末のブラウザ情報との結び付けを行う技術を提供できる。
【０１５４】
＜変形例１＞
実施例２の変形例として、サービス提供装置２０は、例えば、購入者端末１３が閲覧中のＷｅｂサイトの閲覧ページ上で、該購入者端末１３が過去に訪問した異なるＷｅｂサイト上で閲覧表示したコンテンツの広告を表示させるリターゲティングサービスを提供するものでもよい。
【０１５５】
例えば、レシート管理装置１０は、レシートデータの保存先にアクセスした購入者端末１３の端末来歴情報、購入商品情報をサービス提供装置２０に登録する。サービス提供装
置２０は、リターゲティングサービスを提供するために提携されたＷｅｂサイトの閲覧ページの広告表示領域内にレシート管理装置１０から登録された端末来歴情報を登録する。サービス提供装置２０は、例えば、Ｗｅｂサイトの閲覧ページの広告表示領域を介して、当該Ｗｅｂサイトを購入者端末１３が訪問したことを特定する。サービス提供装置２０は、登録された購入商品情報に基づいて購入端末１３が閲覧中のＷｅｂサイトのページ内の広告表示領域に購入商品情報に基づく各種広告情報を表示させる。
【０１５６】
また、例えば、サービス提供装置２０が発行・管理するＩＤタグといった識別情報をレシートデータが保存された保存先に埋め込むとしてもよい。レシートデータを閲覧した購入者端末１３には、レシートデータの保存先に埋め込まれた識別情報がブラウザ機能を介して設定される。例えば、リターゲティングサービスを提供するために提携されたＷｅｂサイトの閲覧ページを購入端末１３が訪問した場合には、購入者端末１３に設定された識別情報に基づいて、閲覧中のＷｅｂサイトのページ内の広告表示領域にレシートデータに含まれる購入商品情報に基づいて各種広告情報を表示させることが可能となる。
【０１５７】
レシート作成装置１２で発行されたレシートを有する購入者に、レシート管理装置１０が発行した端末来歴情報およびレシート情報に含まれる購入商品情報に基づく広告情報の提供サービスを行うことが可能となる。
【０１５８】
＜変形例２＞
実施例１、２の、レシートデータが保存されるネットワーク上の保存先識別情報は、ＵＲＬを例として説明した。レシートデータが保存される保存先の保存先識別情報は、例えば、保存リソースの“名称”であるＵＲＮ（Uniform Resource Name）であってもよく、
ＵＲＬ、ＵＲＮを包括するＵＲＩ（Uniform Resource Identifier：統一資源識別子）で
あってもよい。
【０１５９】
また、実施例１、２の購入者端末１３に設定される端末来歴情報として、Cookie情報を例として説明した。例えば、端末来歴情報として、ＨＴＭＬ５以降のブラウザで使用可能なWeb Storage といった機能を採用することができる。また、ｉＯＳといったオペレーティングシステムが搭載される購入者端末では、Advertising Identifier（広告識別子）といったｉＯＳ搭載端末を識別するための情報が、端末来歴情報として採用することができる。
【０１６０】
さらに、レシート管理装置１０は、例えば、端末来歴情報に替えて、購入者端末１３のブラウザ機能を介して取得できる、ブラウザのバージョン、プラグイン、解像度等の情報を用いて購入者端末１３に搭載されたブラウザを推定するFingerprinting技術を使用して購入者端末１３を識別するとしてもよい。Fingerprinting技術にフィンガープリントを用いることで、購入者端末１３固有の識別情報、例えば、携帯電話番号、契約者固有ID、個体識別情報（個体識別番号）等を用いる場合と比較して、購入者のレシートデータ等の安全性を高めることができる。
【０１６１】
また、例えば、購入者端末１３がレシート管理装置１０にレシートデータへのアクセス要求をしたときに、レシート管理装置１０は、日付あるいは時刻情報、上記端末固有の識別情報等とからハッシュ関数を用いてハッシュ値を求め、レシート管理装置１０が保持する秘密鍵によって暗号化すればよい。レシート管理装置１０は、暗号化ハッシュ値を購入者端末１３のブラウザに付与し、次回の購入者端末１３のブラウザからのレシートデータへのアクセス要求時に、暗号化ハッシュ値を検出することで、上記実施例１、２、変形例１、２等に述べたサービスを提供できる。なお、ハッシュ関数自体の安全性が確保されている場合には、暗号化は不要である。つまり、このようなフィンガープリント、上記ハッシュ値、あるいは暗号化ハッシュ値等は、端末来歴情報の一例ということもできる。この
場合に、レシート管理装置１０は、所定のイベント発生（例えば、ＯＳ、ブラウザ等アップデート等）ごと、あるいは所定期間ごとにフィンガープリント、ハッシュ値、暗号化ハッシュ値等を変更することによって、購入者のレシートデータ等の安全性をさらに高めることができる。なお、レシート管理装置１０は、購入者端末１３のフィンガープリント、ハッシュ値、暗号化ハッシュ値等を更新された場合には、過去に端末来歴情報管理ＤＢ２０２において端末歴情報となるフィンガープリント、ハッシュ値、暗号化ハッシュ値等を更新することで、過去に蓄積したレシートデータをそのまま維持してもよい。あるいは、レシート管理装置１０は、購入者端末１３のフィンガープリント、ハッシュ値、暗号化ハッシュ値等を更新された場合には、購入者に対して、過去に蓄積したレシートデータが廃棄されることを通知して廃棄する、過去に蓄積したレシートデータのバックアップ等をとるようにメッセージで通知するとともにバックアップツールを提供し、ユーザが必要に応じてバックアップをとれるようにしてもよい。
【０１６２】
また、例えば、商品またはサービスの購入者が購入者端末１３に、ウェブサイト、例えば、レシート管理装置１０等からレシートデータを処理するアプリケーションプログラム（レシートアプリ）をダウンロードするようにしてもよい。購入者端末１３からレシートアプリのダウンロート要求を受けたときに、レシート管理装置１０等のウェブサイトを提供するコンピュータは、ユニークなアクセス元識別情報、例えば、ダウロード先ごとの通し番号を発行し、レシートアプリに埋め込んでおいてもよい。購入者端末１３で実行されるレシートアプリは、例えば、レシート管理装置１０にアクセスするときに、レシートアプリを識別するアプリ識別情報と、上記アプリ識別情報とユニークなアクセス元識別情報等を端末来歴情報として用いることができる。つまり、購入者端末１３は、レシートデータへのアクセス要求とともに、アプリ識別情報とアクセス元識別情報とをレシート管理装置１０に提示することによって、レシート管理装置１０は、ＨＴＴＰで利用されるクッキー等に限定されることなく、アクセス要求のあった個々のレシートデータを購入者端末１３に配布されたレシートアプリ毎にリンクできる。したがって、このようなアプリ識別情報とアクセス元識別情報とレシート管理装置１０が、レシートアプリに埋め込んで配信することによって、実質的に、ＨＴＴＰで利用されるクッキー等に限定されることなく、上記実施例１、２、変形例１、２等に述べたサービスを提供できる。つまり、このようなアプリ識別情報とアクセス元識別情報等は、端末来歴情報の一例ということができる。なお、アプリ識別情報とアクセス元識別情報等が組み合わせられて単独の識別情報として使用されてよい。また、アプリ識別情報に変えて、レシートアプリを提供するベンダの識別情報、レシート管理装置１０、あるいはウェブサイトを提供するサービスプロバイダ、事業者の識別情報等を用いてもよい。
【０１６３】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【０１６４】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ等がある。
【０１６５】
以下に、本願の当初の特許請求の範囲に記載された発明を付記する。
【０１６６】
［１］コンピュータに、
商品またはサービスの購入者が使用する購入者端末がアクセス可能なネットワーク上の、前記商品またはサービスの価格を含むレシートデータが保存される保存先を特定する保存先識別情報を得るステップと、
前記保存先にアクセスする購入者端末にアクセス実績を特定する端末来歴情報を設定するステップと、
購入者端末に設定した端末来歴情報と前記購入者端末によってアクセスされた保存先を特定する保存先識別情報とを関連づけて記憶部に保持するステップと、
を実行させる管理プログラム。
【０１６７】
［２］購入者端末から保存先識別情報を指定したレシートデータへのアクセス要求を受信したときに、前記アクセス要求元の購入者端末に端末来歴情報が設定されているか否かによって前記購入者端末からの読み出し要求が初回の要求か否かを判定し、
初回の要求であると判定した場合に、前記読み出し要求元の購入者端末からのアクセス実績を特定するための端末来歴情報を前記読み出し要求元の購入者端末に保存し、前記読み出し要求元の購入者端末に保存した前記端末来歴情報と関連づけて読み出し要求に指定された前記保存先識別情報を前記記憶部に保持し、
初回の要求でないと判定した場合に、前記アクセス要求元の購入者端末に保存されている端末来歴情報に関連付けて前記記憶部に保持されている保存先識別情報とともに、前記読み出し要求に指定された前記保存先識別情報を前記記憶部に保持する、管理ステップを、さらに実行させる［１］に記載の管理プログラム。
【０１６８】
［３］購入者端末から読み出した端末来歴情報を基にレシートデータを要求するサービス提供装置に前記レシートデータを提供するステップをさらに実行させる［１］または［２］に記載の管理プログラム。
【０１６９】
［４］店舗で利用される店舗端末から前記レシートデータと保存先識別情報を取得するステップをさらに実行させる［１］から［３］の何れか一の付記に記載の管理プログラム。
【０１７０】
［５］店舗で利用される店舗端末から前記レシートデータを取得する取得ステップと、
前記取得したレシートデータに対して保存先識別情報を生成するステップと、をさらに実行させる［１］から［３］の何れか一の付記に記載の管理プログラム。
【０１７１】
［６］店舗で利用される店舗端末から商品またはサービスの購入を示す購入情報を取得し、前記レシートデータを生成するステップと、
前記レシートデータを保存する保存先を特定する保存先識別情報を生成するステップと、をさらに実行させる［１］から［３］の何れか一の付記に記載の管理プログラム。
【０１７２】
［７］前記保存先識別情報で特定される保存先に前記レシートデータを保存するステップをさらに実行させる［２］から［６］の何れか一の付記に記載の管理プログラム。
【０１７３】
［８］前記保存先識別情報を前記店舗端末に送信するステップをさらに実行させる［５］に記載の管理プログラム。
【０１７４】
［９］前記レシートデータと前記保存先識別情報とを前記店舗端末に送信するステップをさらに実行させる［６］に記載の管理プログラム。
【０１７５】
［１０］コンピュータが、
商品またはサービスの購入者が使用する購入者端末がアクセス可能なネットワーク上の
、前記商品またはサービスの価格を含むレシートデータが保存される保存先を特定する保存先識別情報を得るステップと、
前記保存先にアクセスする購入者端末にアクセス実績を特定する端末来歴情報を設定するステップと、
購入者端末に設定した端末来歴情報と前記購入者端末によってアクセスされた保存先を特定する保存先識別情報とを関連づけて記憶部に保持するステップと、
を実行する管理方法。
【０１７６】
［１１］商品またはサービスの購入者が使用する購入者端末がアクセス可能なネットワーク上の、前記商品またはサービスの価格を含むレシートデータが保存される保存先を特定する保存先識別情報を得る手段と、
前記保存先にアクセスする購入者端末にアクセス実績を特定する端末来歴情報を設定する手段と、
購入者端末に設定した端末来歴情報と前記購入者端末によってアクセスされた保存先を特定する保存先識別情報とを関連づけて記憶部に保持する手段と、
を備えるレシート管理装置。
【０１７７】
［１２］商品またはサービスの購入者が使用する購入者端末がアクセス可能なネットワーク上の、前記商品またはサービスの価格を含むレシートデータが保存される保存先を特定する保存先識別情報を得る手段と、
前記保存先にアクセスする購入者端末にアクセス実績を特定する端末来歴情報を設定する手段と、
購入者端末に設定した端末来歴情報と前記購入者端末によってアクセスされた保存先を特定する保存先識別情報とを関連づけて保持する保持手段と、
を備えるレシート管理装置と、
購入者端末から端末来歴情報を読み出し、前記端末来歴情報を基にレシートデータを取得し、前記レシートデータを処理するサービスを提供するサービス提供装置と、
を備える情報処理システム。
【０１７８】
［１３］端末からのアクセスを受け付けたときに、前記端末に所定の端末来歴情報が格納されているときに、前記所定の端末来歴情報を取得する手段と、
前記取得した端末来歴情報を基に、前記端末来歴情報に関連付けてレシートデータを格納するサーバからレシートデータを取得する手段と、
を備えるサービス提供装置。
【０１７９】
［１４］コンピュータが、
端末からのアクセスを受け付けたときに、前記端末に所定の端末来歴情報が格納されているときに、前記所定の端末来歴情報を取得するステップと、
前記取得した端末来歴情報を基に、前記端末来歴情報に関連付けてレシートデータを格納するサーバからレシートデータを取得するステップと、
を実行するサービス提供方法。
【０１８０】
［１５］コンピュータに、
端末からのアクセスを受け付けたときに、前記端末に所定の端末来歴情報が格納されているときに、前記所定の端末来歴情報を取得するステップと、
前記取得した端末来歴情報を基に、前記端末来歴情報に関連付けてレシートデータを格納するサーバからレシートデータを取得するステップと、
を実行させるサービス提供プログラム。
【符号の説明】
【０１８１】
１、１ａ  レシート管理システム
１０  レシート管理装置
１１  保存サーバ
１２  レシート作成装置
１３  購入者端末
２０  サービス提供装置
９０  情報処理装置
９１  ＣＰＵ
９２  主記憶部
９３  補助記憶部
９４  入力部
９５  出力部
９６  通信部
１０１  レシート情報管理部
１０２  レシートデータアクセス管理部
１０３  端末来歴情報管理部
１０４  レシートデータ出力部
１１１  レシート情報取得部
１１２  保存先識別情報生成部
１１３  レシートデータ生成部
１１４  出力制御部
２０１  レシート管理ＤＢ
２０２  端末来歴情報管理ＤＢ
２０３、２１１  広告情報ＤＢ
【図１】
2019215927.tif 000003
【図２】
2019215927.tif 000004
【図３Ａ】
2019215927.tif 000005
【図３Ｂ】
2019215927.tif 000006
【図４Ａ】
2019215927.tif 000007
【図４Ｂ】
2019215927.tif 000008
【図５Ａ】
2019215927.tif 000009
【図５Ｂ】
2019215927.tif 000010
【図５Ｃ】
2019215927.tif 000011
【図６】
2019215927.tif 000012
【図７】
2019215927.tif 000013
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
商品またはサービスの購入者が購入した前記商品毎またはサービス毎の商品名、購入価格、購入数量を含むレシートデータを取得する手段と、
前記購入者が使用する購入者端末がアクセス可能なＵＲＬ（Ｕｎｉｆｏｒｍ Ｒｅｓｏ
ｕｒｃｅ Ｌｏｃａｔｏｒ）、リソースの名称であるＵＲＮ（Ｕｎｉｆｏｒｍ Ｒｅｓｏｕｒｃｅ Ｎａｍｅ）およびＵＲＩ（Ｕｎｉｆｏｒｍ Ｒｅｓｏｕｒｃｅ Ｉｄｅｎｔｉｆｉ
ｅｒ：統一資源識別子）のいずれかの情報またはネットワーク上のドメイン、位置、および資源の何れかを示す情報であって、前記レシートデータが保存される保存先を特定する保存先識別情報を生成する手段と、
前記商品またはサービスの決済のときに、前記レシートデータと前記保存先識別情報とが記録されたレシートを発行する手段と、
を備える店舗で利用される店舗端末。
【請求項２】
店舗で利用される店舗端末が、
商品またはサービスの購入者が購入した前記商品毎またはサービス毎の商品名、購入価格、購入数量を含むレシートデータを取得するステップと、
前記購入者が使用する購入者端末がアクセス可能なＵＲＬ（Ｕｎｉｆｏｒｍ Ｒｅｓｏ
ｕｒｃｅ Ｌｏｃａｔｏｒ）、リソースの名称であるＵＲＮ（Ｕｎｉｆｏｒｍ Ｒｅｓｏｕｒｃｅ Ｎａｍｅ）およびＵＲＩ（Ｕｎｉｆｏｒｍ Ｒｅｓｏｕｒｃｅ Ｉｄｅｎｔｉｆｉ
ｅｒ：統一資源識別子）のいずれかの情報またはネットワーク上のドメイン、位置、および資源の何れかを示す情報であって、前記レシートデータが保存される保存先を特定する保存先識別情報を生成するステップと、
前記商品またはサービスの決済のときに、前記レシートデータと前記保存先識別情報とが記録されたレシートを発行するステップと、
を実行する処理方法。
【請求項３】
店舗で利用される店舗端末に、
商品またはサービスの購入者が購入した前記商品毎またはサービス毎の商品名、購入価格、購入数量を含むレシートデータを取得するステップと、
前記購入者が使用する購入者端末がアクセス可能なＵＲＬ（Ｕｎｉｆｏｒｍ Ｒｅｓｏ
ｕｒｃｅ Ｌｏｃａｔｏｒ）、リソースの名称であるＵＲＮ（Ｕｎｉｆｏｒｍ Ｒｅｓｏｕｒｃｅ Ｎａｍｅ）およびＵＲＩ（Ｕｎｉｆｏｒｍ Ｒｅｓｏｕｒｃｅ Ｉｄｅｎｔｉｆｉ
ｅｒ：統一資源識別子）のいずれかの情報またはネットワーク上のドメイン、位置、および資源の何れかを示す情報であって、前記レシートデータが保存される保存先を特定する保存先識別情報を生成するステップと、
前記商品またはサービスの決済のときに、前記レシートデータと前記保存先識別情報とが記録されたレシートを発行するステップと、
を実行させるプログラム。